(57)【要約】本発明は、ドキュメント（１）、特にサーモグラフィー基材（２）を備えたセキュリティドキュメントを製造するための方法、並びにドキュメント（１）、特にサーモグラフィー基材（２）を備えたセキュリティドキュメントに関する。まず、少なくとも１つの第１の領域（１０ａ〜１０ｖ）における温度効果に応じて、色変化（１５）を生じさせるサーモグラフィー基材（２）が提供される。さらに、サーモグラフィー基材（２）の少なくとも１つの第１の領域（１０ａ〜１０ｖ）とサーマルプリントヘッド（６）との間にフィルムエレメント（５）が配置される。次いで、サーマルプリントヘッド（６）を用いて、色変化（１５）を生じさせることにより、サーモグラフィー基材（２）の少なくとも１つの第１の領域（１０ａ〜１０ｖ）に少なくとも１つの第１の情報項目（２０ａ〜２０ｆ）が導入される。色変化（１５）を生じさせる温度効果がサーマルプリントヘッド（６）からフィルムエレメント（５）を介してサーモグラフィー基材（２）の少なくとも１つの第１の領域（１０ａ〜１０ｖ）へと伝えられるように、サーマルプリントヘッド（６）は、少なくとも１つの第１の情報項目（２０ａ〜２０ｆ）の導入中、フィルムエレメント（５）と接触している。
2018516791.tif 000002
【特許請求の範囲】
【請求項１】
サーモグラフィー基材（２）を備えたドキュメント（１）、特にセキュリティドキュメントを製造する方法であって、
ａ）少なくとも１つの第１の領域（１０ａ〜１０ｖ）における温度効果に応じて、色変化（１５）が生じる前記サーモグラフィー基材（２）を提供するステップと、
ｂ）前記サーモグラフィー基材（２）の前記少なくとも１つの第１の領域（１０ａ〜１０ｖ）とサーマルプリントヘッド（６）との間に配置されるように、フィルムエレメント（５）を配置するステップと、
ｃ）前記サーマルプリントヘッド（６）を用いて、前記色変化（１５）を生じさせることにより、前記サーモグラフィー基材（２）の前記少なくとも１つの第１の領域（１０ａ〜１０ｖ）に少なくとも１つの第１の情報項目（２０ａ〜２０ｆ）を導入するステップと、
を含み、
前記色変化（１５）を生じさせる前記温度効果が前記サーマルプリントヘッド（６）から前記フィルムエレメント（５）を介して前記サーモグラフィー基材（２）の前記少なくとも１つの第１の領域（１０ａ〜１０ｖ）へと伝わるように、前記サーマルプリントヘッド（６）は、前記少なくとも１つの第１の情報項目（２０ａ〜２０ｆ）の導入中、前記フィルムエレメント（５）と接触している、ことを特徴とする方法。
【請求項２】
ステップｃ）において、前記フィルムエレメント（５）の一つ又は複数の第１の層は、前記少なくとも１つの第１の領域（１０ａ〜１０ｖ）において、前記サーマルプリントヘッド（６）により、前記ドキュメント（１）、特にセキュリティドキュメントに適用される、ことを特徴とする請求項１に記載の方法。
【請求項３】
ステップｃ）において、前記少なくとも１つの第１の領域（１０ａ〜１０ｖ）における前記サーモグラフィー基材（２）の色変化（１５）により、第１の色が生成され、
ステップｃ）において、前記少なくとも１つの第１の領域（１０ａ〜１０ｖ）において前記ドキュメント（１）、特にセキュリティドキュメントに適用された前記フィルムエレメント（５）の前記一つ又は複数の第１の層は、少なくとも所定の領域において第２の色で形成され、
前記第１の色及び前記第２の色は、異なる色、特にＲＧＢ色空間の異なる色である、ことを特徴とする請求項２に記載の方法。
【請求項４】
ステップｂ）において配置された前記フィルムエレメント（５）は、一つ又は複数の染料及び／又は一つ又は複数の接着剤を有し、
ステップｃ）において、前記一つ又は複数の染料及び／又は前記一つ又は複数の接着剤は、適用中に溶解する、ことを特徴とする請求項２又は３に記載の方法。
【請求項５】
ステップｂ）において配置された前記フィルムエレメント（５）は、複写ワニス層（５０）と、剥離層（４７）と、透明保護ワニス層（４４）と、含み、
レリーフ構造は、少なくとも所定の領域において前記複写ワニス層（５０）に成形され、
前記剥離層（４７）は、前記複写ワニス層（５０）と前記透明保護層（４４）との間に配置され、
前記複写ワニス層（５０）は、前記サーマルプリントヘッド（６）に面しており、
ステップｃ）において、前記複写ワニス層（５０）のレリーフ構造に対して反転されたレリーフ構造が、前記透明保護ワニス層（４４）に成形されるように、前記透明保護ワニス層（４４）は、前記サーマルプリントヘッド（６）により、前記ドキュメント（１）、特にセキュリティドキュメントに適用される、ことを特徴とする請求項２又は３に記載の方法。
【請求項６】
少なくとも１つの第２の領域（１１ａ，１１ｂ，１１ｑ，１１ｒ，１１ｓ，１１ｔ，１１ｕ）において、前記少なくとも１つの第１の情報項目（２０ａ〜２０ｆ）が前記サーモグラフィー基材（２）に導入されず、前記フィルムエレメント（５）の前記一つ又は複数の第１の層が、少なくとも１つの第２の情報項目（２１ａ，２１ｂ）を表すため、前記サーマルプリントヘッド（６）により前記ドキュメント（１）、特にセキュリティドキュメントに適用されるように、少なくとも１つの第２の領域（１１ａ，１１ｂ，１１ｑ，１１ｒ，１１ｓ，１１ｔ，１１ｕ）において、前記色変化（１５）を生じさせる温度効果が選択される、ことを特徴とする請求項２〜５のいずれかに記載の方法。
【請求項７】
前記少なくとも１つの第１の領域（１０ａ〜１０ｖ）及び少なくとも１つの第２の領域（１１ａ，１１ｂ，１１ｑ，１１ｒ，１１ｓ，１１ｔ，１１ｕ）は、前記サーマルプリントヘッド（６）の最大記録範囲（１２）に位置し、
前記最大記録範囲（１２）は前記サーマルプリントヘッド（６）の最大面積に対応し、当該最大面積で、前記サーマルプリントヘッド（６）は、ステップｃ）における第１の情報項目の導入中に前記フィルムエレメントと接触する、ことを特徴とする請求項６に記載の方法。
【請求項８】
ステップａ）において供給された前記サーモグラフィー基材（２）は、少なくとも２つの第１の領域（１０ｓ，１０ｔ）における温度効果に応じて少なくとも２つの色変化（１５，１５ａ）が生じ、
前記少なくとも２つの色変化（１５，１５ａ）は、少なくとも２つの異なる温度限界を超えたときに生じる、ことを特徴とする請求項１〜７のいずれかに記載の方法。
【請求項９】
ステップａ）において供給された前記サーモグラフィー基材（２）は、少なくとも所定の領域において透明である一つ又は複数の第２の層（６０）を少なくとも所定の領域に有し、
前記サーモグラフィー基材の上面に亘る平面に対して垂直に見たときに、前記一つ又は複数の第２の層（６０）は、前記フィルムエレメント（５）と前記サーモグラフィー基材（２）との間に配置されており、
ステップｃ）において、前記色変化（１５）を生じさせる温度効果は、前記一つ又は複数の第２の層（６０）を介して、前記サーモグラフィー基材（２）の前記少なくとも１つの第１の領域（１０ａ〜１０ｖ）に伝達される、ことを特徴とする請求項１〜８のいずれかに記載の方法。
【請求項１０】
ステップｃ）において、前記温度効果は、好ましくは５０℃を超える温度、より好ましくは５５℃を超える温度、さらに好ましくは６０℃を超える温度、さらにより好ましくは９０℃を超える温度である、ことを特徴とする請求項１〜９のいずれかに記載の方法。
【請求項１１】
ステップｃ）において、前記サーマルプリントヘッド（６）は、少なくとも所定の領域において、７０℃を超える温度、好ましくは７５℃を超える温度、さらに好ましくは８０℃を超える温度、さらにより好ましくは１００℃を超える温度を有する、ことを特徴とする請求項１〜１０のいずれかに記載の方法。
【請求項１２】
熱転写プリンタにより実行される、ことを特徴とする請求項１〜１１のいずれかに記載の方法。
【請求項１３】
ｄ）前記ドキュメント、特に、前記セキュリティドキュメントに少なくとも１つのシール層を適用するステップをさらに含み、
前記ステップは、特にステップｃ）の後に実行される、ことを特徴とする請求項１〜１２のいずれかに記載の方法。
【請求項１４】
ステップｄ）において、前記少なくとも１つのシール層は、ラミネート加工、特に、コールドラミネート加工により適用される、ことを特徴とする請求項１３に記載の方法。
【請求項１５】
請求項１〜１４のいずれかに記載の方法により製造された、サーモグラフィー基材（２）を備えたドキュメント（１）、特にセキュリティドキュメントであって、
温度効果に応じて、サーマルプリントヘッド（６）により、色変化（１５）が生じる前記サーモグラフィー基材（２）において、少なくとも１つの第１の情報項目（２０ａ〜２０ｆ）が少なくとも１つの第１の領域（１０ａ〜１０ｖ）に導入され、
前記少なくとも第１の情報項目（２０ａ〜２０ｆ）は、前記サーモグラフィー基材（２）の前記少なくとも１つの第１の領域（１０ａ〜１０ｖ）において、前記色変化（１５）が生じることにより形成される、ことを特徴とするドキュメント。
【請求項１６】
前記ドキュメント（１）は、前記少なくとも１つの第１の領域（１０ａ〜１０ｖ）において、一つ又は複数の第１の層を有し、
前記一つ又は複数の第１の層は、前記サーモグラフィー基材（２）の前記少なくとも１つの第１の領域（１０ａ〜１０ｖ）において、前記少なくとも１つの第１の情報項目（２０ａ〜２０ｆ）に正確にフィットするように配置されている、ことを特徴とする請求項１５に記載のドキュメント。
【請求項１７】
少なくとも１つの第２の領域（１１ａ，１１ｂ，１１ｑ，１１ｒ，１１ｓ，１１ｔ，１１ｕ）における前記ドキュメント（１）は、少なくとも１つの第２の情報項目（２１ａ，２１ｂ）を表すために、一つ又は複数の第１の層を有し、
前記サーモグラフィー基材（２）は、少なくとも１つの第２の領域（１１ａ，１１ｂ，１１ｑ，１１ｒ，１１ｓ，１１ｔ，１１ｕ）において、前記少なくとも１つの第１の情報項目（２０ａ〜２０ｆ）を有していない、ことを特徴とする請求項１５又は１６に記載のドキュメント。
【請求項１８】
前記一つ又は複数の第１の層は接着層（４５）を含む、ことを特徴とする請求項１６又は１７に記載のドキュメント。
【請求項１９】
前記一つ又は複数の第１の層の少なくとも１つの層（４６）は、着色顔料及び／又は溶解染料を有する、ことを特徴とする請求項１６〜１８のいずれかに記載のドキュメント。
【請求項２０】
着色顔料及び／又は溶解染料を有する前記少なくとも１つの層（４６）は、前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第１の部分領域（１６）に存在し、
前記少なくとも１つの層（４６）は、前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第２の部分領域（１７）に存在していない、ことを特徴とする請求項１９に記載のドキュメント。
【請求項２１】
前記着色顔料及び／又は溶解染料を有する前記少なくとも１つの層（４６）は、透明、半透明又は透過性である、ことを特徴とする請求項１９又は２０に記載のドキュメント。
【請求項２２】
前記着色顔料及び／又は溶解染料を有する前記少なくとも１つの層（４６）は、前記少なくとも１つの第１の領域（１０ａ〜１０ｖ）及び／又は前記少なくとも１つの第２の領域（１１ａ，１１ｂ，１１ｑ，１１ｒ，１１ｓ，１１ｔ，１１ｕ）の少なくとも２つの第３の部分的領域（１８ａ，１８ｂ，１８ｃ）において、異なる着色顔料及び／又は溶解染料を有し、
前記少なくとも２つの第３の部分的領域（１８ａ，１８ｂ，１８ｃ）における前記異なる着色顔料及び／又は溶解染料は、異なる色、特にＲＧＢ色空間の異なる色に対応している、ことを特徴とする請求項１９〜２１のいずれかに記載のドキュメント。
【請求項２３】
前記一つ又は複数の第１の層は、透明保護ワニス層（４４）を含む、ことを特徴とする請求項１６〜２２のいずれかに記載のドキュメント。
【請求項２４】
前記一つ又は複数の第１の層は、複写ワニス層（５０）を含む、ことを特徴とする請求項１６〜２３のいずれかに記載のドキュメント。
【請求項２５】
レリーフ構造は、少なくとも所定の領域において、前記複写ワニス層（５０）の表面及び／又は前記透明保護ワニス層（４４）の表面に成形され、特に、回折レリーフ構造は、キネグラム（登録商標）又はホログラム、０次回折構造、ブレーズ格子、特に非対称ののこぎり歯状レリーフ構造、回折構造、特に線形正弦回折格子、又は交差正弦回折格子、又は、線形単一段又は多段矩形格子、又は、交差単一段又は多段矩形格子、光回折及び／又は光屈折及び／又は光集束マイクロ又はナノ構造、バイナリー又は連続的なフレネルレンズ、バイナリー又は連続的なフレネル自由曲面、回折又は屈折マクロ構造、特にレンズ構造又はマイクロプリズム構造、鏡面、マット構造、特に異方性又は等方性マット構造、あるいは、前記構造の組み合わせからなる群から選択される、ことを特徴とする請求項２３又は２４に記載のドキュメント。
【請求項２６】
前記一つ又は複数の第１の層は、反射層、特に金属層（４８）、及び／又はＨＲＩ層（５１）又はＬＲＩ層を含む、ことを特徴とする請求項１６〜２５のいずれかに記載のドキュメント。
【請求項２７】
前記一つ又は複数の第１の層の少なくとも１つの層（４９）は、電磁放射線の照射の場合、好ましくは、ＵＶ光の照射の場合、さらに好ましくはＩＲ光の照射の場合、人間の目に見える波長範囲、特に３８０ｎｍ〜７８０ｎｍの波長範囲で光を発する顔料を有する、ことを特徴とする請求項１６〜２６のいずれかに記載のドキュメント。
【請求項２８】
前記一つ又は複数の第１の層の少なくとも１つの層（５２）は、光学的に可変の顔料を有し、及び／又は、
前記一つ又は複数の第１の層における少なくとも１つの層は、一つ又は複数の空間層を含む薄膜層系を有し、前記空間層の層厚は、前記薄膜層系が、入射光の干渉により、特に人間の目に見える波長範囲の範囲を超えて、観察角に応じて色変化効果を生じさせるように選択される、ことを特徴とする請求項１６〜２７のいずれかに記載のドキュメント。
【請求項２９】
前記反射層、及び／又は前記顔料を有する前記層（４９）、及び／又は前記光学的に可変の顔料を有する層（５２）、及び／又は前記薄膜層系を有する前記層は、
前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第４の部分的領域（１６）に存在し、
前記少なくとも１つの第１の領域（１０ａ〜１０ｖ）及び／又は少なくとも１つの第２の領域（１１ａ，１１ｂ，１１ｑ，１１ｒ，１１ｓ，１１ｔ，１１ｕ）の少なくとも１つの第５の部分的領域（１７）に存在していない、ことを特徴とする請求項２６〜２８のいずれかに記載のドキュメント。
【請求項３０】
前記少なくとも１つの第４の部分的領域（１６）及び前記少なくとも１つの第５の部分的領域（１７）は、グリッドに応じて配置されている、ことを特徴とする請求項２９に記載のドキュメント。
【請求項３１】
前記一つ又は複数の第１の層は、透明、半透明又は透過性である、ことを特徴とする請求項１６〜３０のいずれかに記載のセキュリティドキュメント。
【請求項３２】
前記ドキュメント（１）、特にセキュリティドキュメントは、少なくとも所定の領域に、少なくとも所定の領域において透明である一つ又は複数の第２の層（６０）を有し、
前記一つ又は複数の第２の層（６０）は、少なくとも所定の領域において、前記サーモグラフィー基材（２）の前記少なくとも１つの第１の領域（１０ａ〜１０ｖ）に導入された前記少なくとも第１情報項目（２０ａ〜２０ｆ）を覆い、
前記一つ又は複数の第２の層（６０）は、前記サーモグラフィー基材（２）の上面に亘る平面に対して垂直に見たときに、前記サーモグラフィー基材（２）と前記一つ又は複数の第１の層との間に配置されている、ことを特徴とする請求項１６〜３１のいずれかに記載のドキュメント。
【請求項３３】
前記ドキュメント、特に、セキュリティドキュメントは、少なくとも１つのシール層を含む、ことを特徴とする請求項１５〜３２のいずれかに記載のドキュメント。
【請求項３４】
前記少なくとも１つのシール層は、保護フィルムであり、特に前記ドキュメント、特に、セキュリティドキュメントは、前記少なくとも１つの保護フィルムとともにラミネート加工されている、ことを特徴とする請求項３３に記載のドキュメント。
【請求項３５】
前記少なくとも１つの保護フィルムはポーチを形成する、ことを特徴とする請求項３４に記載のドキュメント。
【発明の詳細な説明】
【技術分野】
【０００１】
本発明は、ドキュメントを製造する方法及びドキュメントに関する。
【背景技術】
【０００２】
ドキュメント（書類）、特にチケット又はバウチャーは、主に、自動販売機、例えば、旅行券自動販売機又はキャッシュレジスタによってその場で提供される。このため、チケット、旅行チケット又はバウチャーには、発行日や有効期限を示す重ね刷りされた個別の情報項目が提供されている。特に、熱印刷プロセス又は熱転写印刷プロセスにより、効果的に情報が提供されることが証明されている。
【発明の概要】
【発明が解決しようとする課題】
【０００３】
熱印刷プロセスの場合、発色物質を既に含んだ基材が用いられている。印刷を行うため、複数の加熱エレメントを備えたプリントヘッドが基材と直接接触し、発色物質が一点ずつ熱的に活性化される。しかし、熱印刷プロセスの場合、基材に対してプリントヘッドを直接接触させることは短所となる。これにより、プリントヘッドに摩耗、特に、研磨摩耗が生じるため、メンテナンスの間隔が短縮され、したがって、サービス寿命が短くなる。したがって、研磨摩耗により生じた粒子及びさらに発生するほこりの粒子により、特に、天気や環境の影響に直接曝される旅行チケット用自動販売機の場合に、プリントヘッドの寿命が短縮されてしまう。
【０００４】
熱転写印刷プロセスの場合において、ホットスタンピングの転写プライは、プリントヘッドにより、画素（ピクセル）単位で基材に転写される。これにより、基材に適用される装飾層は、例えば、削ることにより、又は溶媒を用いることにより、大幅に除去されてしまうため問題がある。このため、このように印刷されたドキュメントは容易に偽造され、かつ偽造の防止が困難であるため、熱転写プロセスの使用、特に、例えば、チケット等のセキュリティドキュメントにおける使用又は価格等に使用することが大幅に制限されてしまう。
【０００５】
本発明の目的は、従来の課題を回避する、ドキュメントを製造する方法及びドキュメントを提供することである。
【課題を解決するための手段】
【０００６】
この目的は、サーモグラフィー基材を有するドキュメント、特にセキュリティドキュメントを製造する方法により達成される。この方法は、ａ）少なくとも１つの第１の領域における温度効果に応じて、色変化が生じるサーモグラフィー基材を提供するステップと、ｂ）サーモグラフィー基材の少なくとも１つの第１の領域とサーマルプリントヘッドとの間に配置されるように、フィルムエレメントを配置するステップと、ｃ）サーマルプリントヘッドを用いて、色変化を生じさせることにより、サーモグラフィー基材の少なくとも１つの第１の領域において、少なくとも１つの第１の情報項目を導入するステップと、を含む。色変化を生じさせる温度効果がサーマルプリントヘッドからフィルムエレメントを介してサーモグラフィー基材の少なくとも１つの第１の領域へと伝わるように、サーマルプリントヘッドは、少なくとも１つの第１の情報項目の導入中にフィルムエレメントと接触している。本発明の目的は、請求項１〜１２のいずれかに記載された方法により製造された、サーモグラフィー基材を有するドキュメント、特にセキュリティドキュメントにより達成される。温度効果に応じて、サーマルプリントヘッドにより、色変化が生じるサーモグラフィー基材は、少なくとも１つの第１の領域において、少なくとも１つの第１の情報項目を有する。少なくとも第１の情報項目は、サーモグラフィー基材の少なくとも１つの第１の領域において、色変化が生じることにより形成される。
【０００７】
フィルムエレメントは、層状の複合体を形成する一つ又は複数の層を有する。フィルムエレメントは、一つ又は複数の層を含むフィルムエレメントである。
【０００８】
温度効果により色変化がサーモグラフィー基材に生じるように、色変化を生じさせるためにサーモグラフィー基材に必要な温度効果は、フィルムエレメントを介してサーモグラフィー基材に伝達される。サーモグラフィー基材における色変化の発生に必要な温度効果の伝達の間、サーマルプリントヘッドは、サーモグラフィー基材と直接接触しない。その代わりに、色変化の発生に必要な温度効果は、フィルムエレメントを介してサーモグラフィー基材に伝わる。一方では、サーマルプリントヘッドは、ドキュメントに接触しないため、サーマルプリントヘッドの摩耗、特に研磨摩耗が減少する。他方では、第１の情報項目は、第１の領域に色変化が生じることにより、サーモグラフィー基材に導入される。このようにサーモグラフィー基材に導入される第１の情報項目は、単純な削ることや溶媒によっては容易に除去され得ない。したがって、第１の情報項目が導入されたときに、サーマルプリントヘッドは、サーモグラフィー基材とサーマルプリントヘッドとの間に配置されたフィルムエレメントによって摩耗や環境の影響から保護され、これにより、メンテナンスの間隔、及びサービス寿命が増加する。さらに、特に耐熱性及び摺動性に対する、サーモグラフィー基材又はサーモグラフィー基材に適用されるさらなる層の要求をより低くすることができる。
【０００９】
サーマルプリントヘッドとサーモグラフィー基材との間、あるいはサーマルプリントヘッドとサーモグラフィー基材に適用されるさらなる層との間に配置されたフィルムエレメントにより、耐熱性及び摺動性が原因で今日まで熱印刷プロセスでは使用することができなかったサーモグラフィー基材又はサーモグラフィー基材に適用されるさらなる層を使用することが可能となる。
【００１０】
ここで、「サーモグラフィー基材」とは、温度効果に応じた色変化が局所的に生じる基材を意味する。サーモグラフィー基材は、発色基材を含み、この発色基材は、温度効果、特に熱の効果の下で、化学的に作用し、色変化を生じさせる。したがって、サーモグラフィー基材は、感熱層を有する感熱紙とし得る。感熱層は、顔料、バインダ、カラー形成剤、現像剤及び補助材料を含有する。結晶形態又はｐＨ中性環境で無色に見えるロイコ染料は、好ましくは、カラー形成剤として使用される。対照的に、酸性環境での溶融物において、ロイコ染料は有色に見える。例えば、そのようなロイコ染料は、酸によりマトリクスに固定され得る。融点を超えてマトリックスを加熱することにより化学反応が生じて、ロイコ染料は、このとき、可視波長範囲からの光の吸収により有色に見える。したがって、例えば、白色のサーモグラフィー基材は、温度効果により活性化された領域において黒色に見える。さらに、温度効果により、黄色からバイオレットへの色の変化がサーモグラフィー基材において生じ得る。
【００１１】
ここで、「温度効果」とは、サーモグラフィー基材に対する熱又は暖気の効果を意味する。少なくとも１つの第１の情報項目が導入されるとき、まず、サーマルプリントヘッド又はその加熱エレメントと、サーモグラフィー基材との間に温度差が生じる。サーマルプリントヘッドは、サーモグラフィー基材よりも高い温度を有する。ここで、熱又は暖気は、高温の位置から低温の位置へと伝わるエネルギーである。熱（暖気）の伝達は、熱伝導、熱放射又は対流によって行われる。したがって、例えば、熱伝導によって熱エネルギーが伝達され得る。したがって、例えば、サーマルプリントヘッドの温度が１００℃であり、サーモグラフィー基材の温度が３０℃である場合、サーマルプリントヘッドの熱又は暖気がサーモグラフィー基材に作用して、サーモグラフィー基材に色変化を生じさせる温度効果が生じる。
【００１２】
ここで、「色変化」とは、無色から有色への変化と、２つの異なる色の間における色の変化と、の双方を意味する。例えば、温度効果により、サーモグラフィー基材において無色から青への色変化が生じ得る。また、色変化を生じさせることにより、サーモグラフィー基材における赤からマゼンタへの色の変化が可能となる。ここで、「有色」とは、カラーモデル、例えば、ＲＧＢカラーモデル（Ｒ＝赤；Ｇ＝緑；Ｂ＝青）又は、ＣＭＹＫカラーモデル（Ｃ＝シアン；Ｍ＝マゼンタ；Ｙ＝イエロー；Ｋ＝ブラック）における色空間内のカラードットとして表される任意の色を意味する。また、色度の変化は、例えば、白から黒又は濃緑から薄緑等のコントラストの変化を生じさせる。
【００１３】
さらに、色変化を生じさせる温度効果が、サーマルプリントヘッドからフィルムエレメントを介してサーモグラフィー基材の少なくとも１つの第１の領域へと伝わるように、ステップｃ）において、サーマルプリントヘッドと反対側となる側において、フィルムエレメントは、ドキュメント、特に、セキュリティドキュメント及び／又はサーモグラフィー基材と接触する。
【００１４】
本発明のさらに有利な実施例は、従属クレームに対応している。
【００１５】
好ましくは、ステップｃ）において、フィルムエレメントの一つ又は複数の第１の層は、少なくとも１つの第１の領域において、サーマルプリントヘッドにより、ドキュメント、特に、セキュリティドキュメントに適用される。
【００１６】
さらに、フィルムエレメントの一つ又は複数の層は、キャリア層として形成され、フィルムエレメントの一つ又は複数の第１の層は、転写プライとして形成され、キャリア層から剥離され得る。ステップｃ）において、転写プライは、サーマルプリントヘッドにより、少なくとも１つの第１の領域において、ドキュメント、特に、セキュリティドキュメントに適用される。フィルムエレメントは、好ましくは、転写フィルム、特に、熱転写フィルムとして形成される。転写プライは、フィルムエレメントの一つ又は複数の第１の層により形成され得る。
【００１７】
有利には、ドキュメントは、少なくとも１つの第１の領域において、一つ又は複数の第１の層を有し、一つ又は複数の第１の層は、サーモグラフィー基材の少なくとも１つの第１の領域において、少なくとも１つの第１の情報項目に正確にフィットするように配置される。
【００１８】
これにより、サーモグラフィー基材の第１の領域に導入された第１の情報項目及び第１の領域に適用されたフィルムエレメントの一つ又は複数の第１の層は、正確にフィットするように、すなわち、互いに対して正確に配置されている。さらに、単一のプロセスステップにおいて、色変化がサーモグラフィー基材に導入され、フィルムエレメントの一つ又は複数の第１の層がドキュメントに適用される。これにより、処理時間及び製造コストが減少する。さらに、第１の領域において適用された一つ又は複数の第１の層により、サーモグラフィー基材の第１の領域に導入された第１の情報項目の保護が実現する。サーモグラフィー基材における第１の情報項目に正確にフィットするように適用された付加的な一つ又は複数の第１の層を介して、サーモグラフィー基材に導入された情報項目は、例えば、環境の影響又はサーモグラフィー基材に適用される溶媒から保護される。したがって、サーモグラフィー基材に導入される情報項目は、機械的な影響及び化学的な影響から保護される。これにより、サーモグラフィー基材に導入される情報項目の安定性が向上する。また、これにより、第１の情報項目は、第１の領域において、複数回、したがって重複して提供されるため、すなわち、ドキュメントに適用されたフィルムエレメントの一つ又は複数の第１の層により、及びサーモグラフィー基材に導入された色変化により、提供されるため、ドキュメントの偽造の防止及び改ざんに対する保護がさらに向上する。したがって、例えば、一つ又は複数の第１の層がドキュメントの第１の領域において取り除かれても、第１の情報項目は、サーモグラフィー基材における第１の領域において依然として認識され得る。また、例えば、削ることによって取り除かれる、ドキュメントにおける一つ又は複数の有色の第１の層の下に、削った後に現れる黒色の色変化が生じるサーモグラフィー層が配置されているため、偽造等が容易に認識され得る。
【００１９】
さらに、有利には、少なくとも１つの第２の領域において、少なくとも１つの第１の情報項目がサーモグラフィー基材に導入されず、フィルムエレメントの一つ又は複数の第１の層が、少なくとも１つの第２の情報項目を表示するために、サーマルプリントヘッドにより、ドキュメント、特に、セキュリティドキュメントに適用されるように、少なくとも１つの第２の領域において、色変化を生じさせる温度効果が選択される。
【００２０】
有利には、ドキュメントは、少なくとも１つの第２の情報項目を表すため、少なくとも１つの第２の領域において、一つ又は複数の第１の層を有する。サーモグラフィー基材は、少なくとも１つの第２の領域において少なくとも１つの第１の情報項目を有していない。
【００２１】
ここで、第１の領域において、色変化がサーモグラフィー基材に生じ、フィルムエレメントの一つ又は複数の第１の層はドキュメントに適用される。第２の領域において、フィルムエレメントの一つ又は複数の第１の層だけがドキュメントに適用される。したがって、ドキュメントは、フィルムエレメントの一つ又は複数の第１の層によってのみ形成される、情報項目を表示する領域を有する。したがって、例えば、関連性の低い情報項目は、フィルムエレメントの一つ又は複数の第１の層によって第２の領域において適用され、例えば、有効期限等の関連性の高い情報項目は、フィルムエレメントの一つ又は複数の第１の層により第１の領域において適用され、さらに、サーモグラフィー基材において色変化により導入され得る。
【００２２】
さらに、少なくとも１つの第１の領域及び少なくとも１つの第２の領域は、サーマルプリントヘッドの最大記録範囲に位置し得る。ここで、最大記録範囲は、サーマルプリントヘッドの最大面積に対応し、当該最大面積において、ステップｃ）における第１の情報項目の導入中に、サーマルプリントヘッドがフィルムエレメントと接触する。少なくとも１つの第１の領域及び少なくとも１つの第２の領域は、したがって、サーマルプリントヘッドの最大記録範囲の部分領域に対応する。したがって、少なくとも１つの第１の領域における少なくとも１つの第１の情報項目及び少なくとも１つの第２の領域における少なくとも１つの第２の情報項目は、実質的に同時に生成される。特に、少なくとも１つの第１の情報項目が少なくとも１つの第１の領域において導入され、フィルムエレメントの一つ又は複数の第１の層が、サーマルプリントヘッドにより、ドキュメント、特に、セキュリティドキュメントに適用され、かつ、少なくとも１つの第１の情報項目が少なくとも１つの第２の領域において導入されず、フィルムエレメントの一つ又は複数の第１の層が、少なくとも１つの第２の情報項目を表すため、サーマルプリントヘッドにより、ドキュメント、特に、セキュリティドキュメントに適用されるように、サーマルプリントヘッドは、好ましくは、少なくとも１つの第１の領域及び少なくとも１つの第２の領域において、異なる温度を有する。
【００２３】
ここで、「記録範囲」という用語は、サーマルプリントヘッドの最大面積に対応する区画面積を意味する。サーマルプリントヘッドを用いて、温度効果によりサーモグラフィー基材に色変化がもたらされ、ステップｃ）における第１の情報項目の導入中に、サーマルプリントヘッドは最大面積でフィルムエレメントに接触する。したがって、例えば、全記録範囲亘って色変化を生じさせることができる。さらに、一つ又は複数の領域だけにおいて、特に記録範囲の第１の領域だけにおいて色変化を生じさせてもよい。
【００２４】
さらに、有利には、少なくとも１つの第１の領域及び／又は少なくとも１つの第２の領域が、特にレタリングの形態でパターン化されて形成される。パターンは、例えば、図式的に描写された輪郭、図形、イメージ、モチーフ、シンボル、ロゴ、ポートレイト、英数字、テキスト等とし得る。
【００２５】
さらに、フィルムエレメントの一つ又は複数の第１の層を少なくとも１つの第１の領域において透明とし、少なくとも１つの第２の領域において不透明としてもよい。これにより、第１の情報項目は、サーモグラフィー基材における色変化により生じる色で、第１の領域に表れ、第２の情報項目は、フィルムエレメントにおける不透明の一つ又は複数の第１の層により、第２の領域において認識され得る。
【００２６】
少なくとも１つの第１の領域における少なくとも１つの第１の情報項目の解像度、及び／又は、少なくとも１つの第２の領域における少なくとも１つの第２の情報項目の解像度は、好ましくは２００ｄｐｉを超える値、より好ましくは３００ｄｐｉを超える値、さらに好ましくは６００ｄｐｉを超える値である。
【００２７】
さらに、解像度はＸ方向及びＹ方向において異なっていてもよい。紙の搬送方向において、解像度は、特にプリンタの紙供給に応じて決定される。解像度は、紙の搬送方向に対して横断するように、プリントヘッドの加熱エレメントの大きさ及び加熱エレメント間の距離により決定される。
【００２８】
さらに、ステップａ）において供給されたサーモグラフィー基材は、温度効果に応じて、少なくとも２つの第１の領域において少なくとも２つの色変化が生じる。少なくとも２つの異なる温度限界を超えたときに、少なくとも２つの色変化が生じる。これにより、ドキュメントの偽造防止がさらに向上する。
【００２９】
さらに、少なくとも２つの異なる温度限界は、５℃を超える温度、好ましくは１０℃を超える温度、さらに好ましくは１５℃を超える温度だけ相違している。
【００３０】
ドキュメントの少なくとも１つの第１の領域における及び／又は少なくとも１つの第２の領域における、一つ又は複数の第１の層のデザインに応じて、ドキュメントの光学的な印象が変わり、偽造防止がさらに向上する。製造されたドキュメント、特に、セキュリティドキュメントが、一つ又は複数の第１の層を含むように、少なくとも１つの第１の領域及び／又は少なくとも１つの第２の領域におけるフィルムエレメントの一つ又は複数の第１の層は、好ましくは、サーマルプリントヘッドにより、ドキュメント、特に、セキュリティドキュメントに適用される。フィルムエレメントの一つ又は複数の第１の層について可能なデザインについては、以下に説明する。
【００３１】
フィルムエレメントの一つ又は複数の第１の層は、好ましくは、接着層を含む。
【００３２】
接着層は、好ましくは、０．１μｍ〜１０μｍの層厚、好ましくは０．５μｍ〜５μｍの層厚、さらに好ましくは０．８μｍ〜３μｍの層厚を有する。
【００３３】
接着層の適用重量は、好ましくは１ｇ／ｍ２〜４ｇ／ｍ２であり、さらに好ましくは１．５ｇ／ｍ２〜３ｇ／ｍ２である。ここで、各々の以下の記載において、約１ｇ／ｍ２の適用重量は、約１μｍのドライ層の層厚に対応する。
【００３４】
有利には、接着層は、アクリレート、ＰＶＣ（＝ポリ塩化ビニル）、ＰＵＲ（＝ポリウレタン）又はポリエステルを含む。
【００３５】
さらに、有利には、一つ又は複数の第１の層のうち少なくとも１つの層は、着色顔料及び／又は溶解染料を含む。
【００３６】
着色顔料及び／又は溶解染料を有する少なくとも１つの層は、好ましくは、０．１μｍ〜１０μｍの層厚、好ましくは０．３μｍ〜３μｍの層厚、さらに好ましくは０．５μｍ〜２μｍの層厚を有する。
【００３７】
着色顔料及び／又は溶解染料を有する少なくとも１つの層の適用重量は、好ましくは、１ｇ／ｍ２〜３ｇ／ｍ２、好ましくは１．５ｇ／ｍ２〜２．５ｇ／ｍ２である。
【００３８】
着色顔料及び／又は溶解染料を有する少なくとも１つの層は、好ましくは、ＰＭＭＡ（＝ポリメチルメタクリレート）、ＰＶＣ、二酸化ケイ素、ＰＰＦ（＝ポリジアルキルホスフェート）、ポリエステル樹脂、マレイン酸樹脂又はホルムアルデヒド樹脂を含む。
【００３９】
着色顔料及び／又は溶解染料を有する少なくとも１つの層は、少なくとも１つの第１の領域及び／又は少なくとも１つの第２の領域における少なくとも１つの第１の部分領域に存在し、少なくとも１つの第１の領域及び／又は少なくとも１つの第２の領域における少なくとも１つの第２の部分領域に存在しないようにしてもよい。
【００４０】
さらに、少なくとも１つの第１の部分領域及び／又は少なくとも１つの第２の部分領域は、パターン化されて形成される。パターンは、例えば、図式的に描写された輪郭、図形、イメージ、モチーフ、シンボル、ロゴ、ポートレイト、英数字、テキスト等とし得る。
【００４１】
有利には、着色顔料及び／又は溶解染料を有する少なくとも１つの層は、透明、半透明又は透過性である。
【００４２】
着色顔料及び／又は溶解染料を有する少なくとも１つの層は、好ましくは、少なくとも１つの第１の領域及び／又は少なくとも１つの第２の領域の少なくとも２つの第３の部分的領域において、異なる着色顔料及び／又は溶解染料を有する。少なくとも２つの第３の部分的領域における異なる着色顔料及び／又は溶解染料は、異なる色、特にＲＧＢ色空間の異なる色に対応する。
【００４３】
少なくとも２つの第３の部分的領域がパターン化されて形成されている場合に有利である。パターンは、例えば、図式的に描写された輪郭、図形、イメージ、モチーフ、シンボル、ロゴ、ポートレイト、英数字、テキスト等とし得る。
【００４４】
また、少なくとも２つの第３の部分的領域をグリッドに応じて配置してもよい。
【００４５】
有利には、第１の色は、ステップｃ）において、サーモグラフィー基材の色変化により、少なくとも１つの第１の領域に生成され、ステップｃ）において、少なくとも１つの第１の領域において、ドキュメント、特に、セキュリティドキュメントに適用されたフィルムエレメントの一つ又は複数の第１の層は、少なくとも所定の領域において、第２の色で形成され、第１の色及び第２の色は異なる色であり、特にＲＧＢ色空間の異なる色である。
【００４６】
さらに、有利には、ステップｂ）において配置されたフィルムエレメントは、一つ又は複数の染料及び／又は一つ又は複数の接着剤を有し、ステップｃ）において、一つ又は複数の染料及び／又は一つ又は複数の接着剤は適用中に溶解する。
【００４７】
さらなる好ましい例示的な実施例によると、フィルムエレメントの一つ又は複数の第１の層は、透明保護ワニス層を含む。透明保護ワニス層がＰＭＭＡ、ＰＶＣ、アクリレート又はカルナウバろうを含む場合に有利である。
【００４８】
透明保護ワニス層は、好ましくは、０．１μｍ〜１０μｍの層厚、好ましくは０．３μｍ〜１μｍの層厚、さらに好ましくは０．５μｍ〜１μｍの層厚を有する。
【００４９】
透明保護ワニス層の適用重量は、好ましくは０．１ｇ／ｍ２〜１ｇ／ｍ２であり、好ましくは０．３ｇ／ｍ２〜０．６ｇ／ｍ２であり、さらに好ましくは０．３５ｇ／ｍ２〜０．５ｇ／ｍ２である。
【００５０】
フィルムエレメントの一つ又は複数の第１の層は、好ましくは、複写ワニス層を含む。複写ワニス層がＰＭＭＡ又はスチレン共重合体を含む場合に有利である。
【００５１】
複写ワニス層は、好ましくは、０．１μｍ〜１０μｍの層厚、好ましくは０．３μｍ〜３μｍの層厚、さらに好ましくは０．５μｍ〜２μｍの層厚を有する。
【００５２】
複写ワニス層の適用重量は、好ましくは０．１ｇ／ｍ２〜２．５ｇ／ｍ２であり、好ましくは０．１５ｇ／ｍ２〜２ｇ／ｍ２であり、さらに好ましくは０．２ｇ／ｍ２〜１．５ｇ／ｍ２である。
【００５３】
さらに好ましい例示的な実施例によれば、ステップｂ）において配設されたフィルムエレメントは、複写ワニス層、剥離層及び透明保護ワニス層を有する。レリーフ構造は、少なくとも所定の領域において複写ワニス層に成形される。剥離層は、複写ワニス層と透明保護層との間に配置されている。複写ワニス層は、サーマルプリントヘッドに面している。複写ワニス層のレリーフ構造に対して反転されたレリーフ構造が、透明保護ワニス層に成形されるように、ステップｃ）において、透明保護ワニス層は、サーマルプリントヘッドにより、ドキュメント、特に、セキュリティドキュメントに適用される。したがって、ステップｂ）において複写ワニス層に成形されたレリーフ構造のネガティブ形状（ネガフォーム）、は、透明保護ワニス層に成形され、この透明保護ワニス層は、ドキュメントの自由上面にレリーフ構造を有する。
【００５４】
剥離層は、好ましくは、ワックス層として形成される。ワックス層の適用重量は、好ましくは０．００５ｇ／ｍ２〜０．１ｇ／ｍ２であり、好ましくは０．００７５ｇ／ｍ２〜０．０５ｇ／ｍ２である。代替例として、剥離層は、強固に薄膜で覆われたアクリレートから形成されてもよく、かつ／あるいは、保護ワニス層の一部であってもよく、１μｍ〜５μｍの層厚、好ましくは１μｍ〜３μｍの層厚を有していてもよい。
【００５５】
さらに、複写ワニス層は、ＵＶ架橋性ワニスにより形成されてもよく、レリーフ構造は、ＵＶ複写により複写ワニス層に成形されてもよい。レリーフ構造は、スタンピングツールの作用によって、未硬化の複写ワニス層に成形され、複写ワニス層は、ＵＶ光の照射による成形前、成形中及び／又は成形後に硬化する。
【００５６】
さらに、複写ワニス層及び／又は透明保護ワニス層は、染色され、したがって、複写ワニス層及び／又は透明保護ワニス層は、着色顔料及び／又は溶解染料を有し得る。
【００５７】
有利には、レリーフ構造は、少なくとも所定の領域において、複写ワニス層の表面及び／又は透明保護ワニス層の表面に成形され、特に、回折レリーフ構造は、キネグラム（登録商標）（Ｋｉｎｅｇｒａｍ）又はホログラム、０次回折構造、ブレーズ格子、特に非対称ののこぎり歯状レリーフ構造、回折構造、特に線形正弦回折格子、又は交差正弦回折格子、又は、線形単一段又は多段矩形格子、又は、交差単一段又は多段矩形格子、光回折及び／又は光屈折及び／又は光集束マイクロ又はナノ構造、バイナリー又は連続的なフレネルレンズ、バイナリー又は連続的なフレネル自由曲面、回折又は屈折マクロ構造、特にレンズ構造又はマイクロプリズム構造、鏡面、マット構造、特に異方性又は等方性マット構造、あるいは、上記構造の組み合わせからなる群から選択される。
【００５８】
フィルムエレメントの一つ又は複数の第１の層は、好ましくは、反射層、特に、金属層及び／又は、ＨＲＩ層又はＬＲＩ層（ＨＲＩ−高屈折率、ＬＲＩ−低屈折率）を含む。さらに、反射層は、互いに隣接して及び／又は互いに重なって配置された複数の反射層、例えば、金属層及び／又はＨＲＩ層又は交互のＨＲＩ層及びＬＲＩ層から形成される多層系を有していてもよい。
【００５９】
また、反射層は、クロム、アルミニウム、金、銅、銀、又はこのような金属の合金からなる金属層として形成され得る。金属層は、好ましくは、１０ｎｍ〜１５０ｎｍの層厚となるように真空下で蒸着される。
【００６０】
さらに、反射層は、透明な反射層から形成され、好ましくは、薄い又は微細な構造の金属層又は誘電ＨＲＩ層又は誘電ＬＲＩ層から形成され得る。そのような誘電反射層は、例えば、金属酸化物、金属硫化物、例えば、酸化チタン又はＺｎＳ等からなる蒸着層からなり、２５ｎｍ〜５００ｎｍの厚さを有する。
【００６１】
反射層は、周知のプロセスにより構成され、特に、所定の領域において除去される。例えば、これは、周知のエッチングプロセス及び／又は洗浄プロセス、あるいは、例えば、ＷＯ２００６０８４６８５Ａ２、ＷＯ２００６０８４６８６Ａ２、ＷＯ２０１１００６６３４Ａ２、又はＤＥ１０２０１３１０８６６６Ａ１に記載された構造化プロセスにより、行われる。
【００６２】
フィルムエレメントの一つ又は複数の第１の層は、一つ又は複数のプライマー層を含んでいてもよい。これにより、各々の場合に間にプライマー層が配置されている、上記層の間における中間層の接着は目的とする方法で設定され、改善される。
【００６３】
一つ又は複数のプライマー層における１つのプライマー層は、有利に、接着層と反射層との間に配置される。
【００６４】
一つ又は複数のプライマー層は、好ましくは、０．０１μｍ〜２μｍの層厚、好ましくは０．０５μｍ〜１μｍの層厚、さらに好ましくは０．１μｍ〜０．６μｍの層厚を有する。
【００６５】
さらなる好ましい例示的な実施例によると、フィルムエレメントの一つ又は複数の第１の層のうち少なくとも１つの層は、電磁放射線の照射の場合、好ましくは、ＵＶ光の照射の場合、さらに好ましくは、ＩＲ光の照射の場合（ＵＶ＝紫外線；ＩＲ＝赤外線）、人間の目に見える波長範囲、特に３８０ｎｍ〜７８０ｎｍの波長範囲で光を発する顔料を有する。これにより、ドキュメントの偽造防止がさらに向上するため、上記のような層の模倣は極めて困難なものとなる。
【００６６】
電磁放射線の照射の場合、人間の目に見える波長範囲で光を発する顔料を有する層の適用重量は、好ましくは０．５ｇ／ｍ２〜２ｇ／ｍ２、好ましくは０．７５ｇ／ｍ２〜１．５ｇ／ｍ２である。
【００６７】
フィルムエレメントの一つ又は複数の第１の層における少なくとも１つの層は、好ましくは、光学的に可変の顔料を有し、及び／又は、フィルムエレメントの一つ又は複数の第１の層における少なくとも１つの層は、一つ又は複数の空間層を含む薄膜層系を有し、空間層の層厚は、薄膜層系が、入射光の干渉により、特に人間の目に見える波長範囲を超えて、観察角に応じて色変化効果を生じさせるように選択される。そのような薄膜層系は、特に一つ又は複数の空間層によって特徴づけられる。これらの空間層の光学的に効果的な層厚は、好ましくは、特定の視野角に対して、特に可視光の範囲における波長λのλ／２又はλ／４の条件を満たす。薄膜層系は、単一の層、一つ又は複数の誘電層及び一つ又は複数の金属層を含む層系、あるいは、二つ又は複数の誘電層を含む層スタックからなり得る。
【００６８】
ここで、「光学的に可変の顔料」とは、特に干渉効果により、特に観察角に依存する色効果を生じさせる顔料を意味する。高度な輝きを有するそのような色変化効果を生じさせるため、顔料は、互いに同様の向き（方向）を有する必要がある。そのような顔料は、例えば、光学的に可変の顔料（ＯＶＰ）である。さらに、光学的に可変の顔料を含む一つ又は複数の第１の層における少なくとも１つの層は、好ましくは、バインダを有する。バインダ及び顔料のそのような組み合わせは、例えば、特に干渉効果により、光学的に可変の色の印象を生成する光学的に可変のインク（ＯＶＩ（登録商標））である。ＯＶＩは、高度の輝きで認識可能な色変化の効果を生じさせるため、通常、十分な層厚で印刷される必要がある。
【００６９】
ここで、「観察角」という用語は、観察者がドキュメントを見る観察角と、照明装置によりドキュメントが照らされる角度と、の双方を意味する。「観察角」とは、ドキュメントの上面に亘る平面の表面法線と、観察者の観察方向との間に形成される角度を意味する。同様に、「観察角」とは、ドキュメントの上面に亘る平面の表面法線と、照明装置の照射方向との間に形成される角度を意味する。したがって、例えば、０°の視野角では、観察者はドキュメントの上面を垂直に観察し、７０°の視野角では、観察者はドキュメントを浅い角度で観察している。観察者の観察方向又は照明装置の照射方向が変わると、結果として、観察角も変わる。
【００７０】
光学的に可変の顔料を有する少なくとも１つの層の適用重量、及び／又は薄膜層系を有する層の適用重量は、好ましくは０．５ｇ／ｍ２〜２０ｇ／ｍ２であり、好ましくは１．０ｇ／ｍ２〜１０ｇ／ｍ２である。
【００７１】
さらに、反射層及び／又は顔料を有する層及び／又は光学的に可変の顔料を有する層及び／又は薄膜層系を有する層は、少なくとも１つの第１の領域及び／又は少なくとも１つの第２の領域の少なくとも１つの第４の部分的領域に存在し、少なくとも１つの第１の領域及び／又は少なくとも１つの第２の領域の少なくとも１つの第５の部分的領域に存在しないようにしてもよい。これにより、例えば、サーモグラフィー基材における色変化は、少なくとも１つの第１の領域の少なくとも１つの第５の部分的領域において観察者に認識され得る。
【００７２】
有利には、少なくとも１つの第４の部分的領域及び／又は少なくとも１つの第５の部分的領域は、パターン化されて形成される。パターンは、例えば、図式的に描写された輪郭、図形、イメージ、モチーフ、シンボル、ロゴ、ポートレイト、英数字、テキスト等とし得る。
【００７３】
少なくとも１つの第４の部分的領域及び少なくとも１つの第５の部分的領域は、グリッドに基づいて配置され得る。
【００７４】
さらに、グリッド幅は、人間の裸眼の解像限界より大きくてもよく、特にグリッド幅は、３００μｍより大きくてもよい。これにより、サーモグラフィー基材において、少なくとも１つの第１の領域における色変化が観察者に認識され得る。
【００７５】
さらに、グリッド幅は、人間の裸眼の解像限界よりも小さくてもよく、グリッド幅は、３００μｍより小さくてもよい。
【００７６】
グリッドは、好ましくは、一次元及び／又は二次元のグリッドである。
【００７７】
さらに、有利には、グリッドは周期的及び／又は非周期的なグリッドである。
【００７８】
有利には、特に、対応するグリッド状のテストエレメントが重ねられたときにモアレ効果が生じるように、グリッドが形成され得る。しかし、そのようなモアレ効果を形成するため、複数の対応するグリッド状の層をフィルムエレメント及び／又は基材に設けてもよい。また、一方のグリッドを１つの層、特にフィルムエレメントの一つ又は複数の第１の層における１つの層に配置し、他方のグリッドをサーモグラフィー基材における色変化により形成してもよい。
【００７９】
さらに、有利には、一つ又は複数の第１の層は、透明、半透明又は透過性である。これにより、例えば、サーモグラフィー基材における色変化が、フィルムエレメントの一つ又は複数の第１の層を通して観察者に認識され得る。また、例えば、ＲＧＢカラーモデルに基づいて、フィルムエレメントの一つ又は複数の第１の層の色と、サーモグラフィー基材における色変化の色と、を重ね合わせることにより、混合色を生成することも可能である。
【００８０】
さらなる好ましい例示的な実施例によると、ステップｂ）において、サーモグラフィー基材に面して配置されたフィルムエレメントの層は、サーモグラフィー基材及び／又はドキュメントに対する接着が防止されるように形成され、及び／又は、ステップｂ）において、サーマルプリントヘッドに面して配置されたフィルムエレメントの層は、高温の汚れに対する十分な耐性を実現するように形成される。フィルムエレメントのいずれの層もドキュメントに適用されないため、フィルムエレメントのそのようなデザインを介して、熱転写プリンタがドキュメントのサーモグラフィー基材において色変化を生じさせるように用いられ得る。しかし、色変化を生じさせる温度効果は、サーマルプリントヘッドからフィルムエレメントを介してサーモグラフィー基材に伝わる。
【００８１】
本方法は熱転写プリンタにより実行され得る。これにより、熱転写プリンタにより、少なくとも１つの第１の情報項目をドキュメントのサーモグラフィー基材に導入することが可能となる。さらに、前述のように、同一のプロセスのステップで、一つ又は複数の第１の層をドキュメントに適用することができる。このように、熱転写プリンタにより本方法を実行することにより、コスト面においてさらに有利な効果が得られる。
【００８２】
ステップｃ）における温度効果は、好ましくは５０℃を超える温度、さらに好ましくは５５℃を超える温度、さらに好ましくは６０℃を超える温度、さらにより好ましくは９０℃を超える温度である。さらに、ステップｃ）における温度効果は、５０℃〜２００℃、好ましくは５５℃〜１７５℃、さらに好ましくは６０℃〜１５０℃である。感熱紙を活性化するための温度効果の上限は厳格に設定されていない。現在、サーマルプリントヘッドの性能及び高温の必要性の低減によって、現実的な限界が設定されている。
【００８３】
ステップｃ）において、有利には、サーマルプリントヘッドは、少なくとも所定の領域において、７０℃を超える温度、好ましくは７５℃を超える温度、さらに好ましくは８０℃を超える温度、さらにより好ましくは１００℃を超える温度を有する。また、ステップｃ）において、サーマルプリントヘッドは、少なくとも所定の領域において、７０℃〜２２０℃の温度、好ましくは７５℃〜２１０℃の温度、さらに好ましくは８０℃〜２００℃の温度、さらにより好ましくは９０℃〜１９５℃の温度を有する。
【００８４】
さらに、有利には、ステップａ）において供給されたサーモグラフィー基材は、少なくとも所定の領域において、少なくとも所定の領域において透明である一つ又は複数の第２の層を有する。サーモグラフィー基材の上面に亘る平面に対して垂直に観察したときに、一つ又は複数の第２の層は、フィルムエレメントとサーモグラフィー基材との間に配置されており、ステップｃ）において、色変化を生じさせる温度効果は、一つ又は複数の第２の層を介してサーモグラフィー基材の少なくとも１つの第１の領域に伝達される。
【００８５】
少なくとも所定の領域におけるドキュメント、特に、セキュリティドキュメントは、好ましくは、少なくとも所定の領域において透明である一つ又は複数の第２の層を有する。サーモグラフィー基材の上面に亘る平面に対して垂直に観察したときに、一つ又は複数の第２の層は、少なくとも所定の領域においてサーモグラフィー基材の少なくとも１つの第１の領域に導入された少なくとも１つの第１の情報項目を覆っている。
【００８６】
有利には、サーモグラフィー基材の上面に亘る平面に対して垂直に観察したときに、一つ又は複数の第２の層は、サーモグラフィー基材とフィルムエレメントの一つ又は複数の第１の層との間に配置されている。
【００８７】
さらに、一つ又は複数の第２の層は、少なくとも１つの光学的なセキュリティ特徴部、特に入射光で認識可能な光学的なセキュリティ特徴部を備えた装飾層を有し、当該装飾層は、一つ又は複数の第２の層における、透明及び／又は不透明な第４の領域に配置されている。
【００８８】
有利には、装飾層は、セキュリティ特徴部を提供する一つ又は複数の層を有し、当該層は、セキュリティ印刷、ＵＶ又はＩＲ印刷、マイクロ印刷、光学的に可変の顔料を含む層、屈折エレメント、回折エレメント、異方性マット構造、レリーフホログラム、体積ホログラム、０次回折構造、観察角に応じて色変化効果を生じさせる薄膜層効果及び／又は架橋液晶層からなる群から選択された一つ又は複数のエレメントを含む。
【００８９】
ステップｃ）において、好ましくは、色変化を生じさせる温度効果がサーマルプリントヘッドからフィルムエレメントを介してサーモグラフィー基材の少なくとも１つの第１の領域に伝わるように、パラメータの温度及び時間が選択される。パラメータ時間は、ステップｂ）において配置されたフィルムエレメントの材料特性及び質量比、サーマルプリントヘッドによる温度効果及び／又はドキュメントの温度によって主に決定される。さらに、また、パラメータの温度及び時間は、サーモグラフィー基材とフィルムエレメントとの間に配置された少なくとも所定の領域においてサーモグラフィー基材を有する一つ又は複数の第２の層によって決定され得る。
【００９０】
本発明のさらなる好ましい例示的な実施例によると、ドキュメント、特に、セキュリティドキュメントは、フィルムエレメントの一つ又は複数の第１の層に面する側と反対側となるサーモグラフィー基材の側、及び／又は、一つ又は複数の第２の層に面する側と反対側となるサーモグラフィー基材の側において、少なくとも１つの第５の領域に一つ又は複数の第３の層を有する。
【００９１】
有利には、一つ又は複数の第３の層は、光学的に不変の層、特に印刷されたカラー層である。
【００９２】
さらに、一つ又は複数の第３の層は、電磁放射線の照射の場合、好ましくは、ＵＶ及び／又はＩＲ光の照射の場合、人間の目により視認され得る波長範囲、特に、３８０ｎｍ〜７８０ｎｍの波長範囲の光を発する顔料を有する。
【００９３】
本発明のさらなる好ましい例示的な実施例によると、ドキュメント、特に、セキュリティドキュメントは、少なくとも１つのシール層を含む。
【００９４】
したがって、本方法は、ｄ）ドキュメント、特に、セキュリティドキュメントに少なくとも１つのシール層を適用するステップをさらに含み、当該ステップは、ステップｃ）後に実行される。
【００９５】
少なくとも１つのシール層は、好ましくは、透明な層であり、特に、透明かつクリアな層である。
【００９６】
さらに、ステップｄ）において、少なくとも１つのシール層が、ラミネート加工、特に、コールドラミネート加工により適用される場合に有益である。
【００９７】
有利には、少なくとも１つのシール層は、保護フィルム、特に、自己支持型の保護フィルムである。また、上記方法は、特にステップｃ）とステップｄ）との間に行われる、少なくとも１つのシール層、特に、少なくとも１つの保護フィルムを提供するステップをさらに含んでいてもよい。
【００９８】
さらに、少なくとも１つの保護フィルムがポーチを形成してもよい。ポーチは、保護フィルムにより形成されるポケット又はバッグであって、このポーチの中に、ステップｃ）の後、ドキュメント、特に、セキュリティドキュメントが挿入される。そのようなポーチは、一つ、二つ又は三つの側が閉じられていてもよく、閉じられていない三つ、二つ又は一つの側は、ドキュメント、特に、セキュリティドキュメントを挿入するために用いられる。
【００９９】
さらに、ドキュメント、特に、セキュリティドキュメントが少なくとも１つの保護フィルムとともにラミネートされている場合に有利である。また、ドキュメント、特に、セキュリティドキュメントが、特にサーモグラフィー基材の上面に亘る平面に対して垂直に観察したときに、第１の保護フィルムと第２の保護フィルムとの間にラミネートされている。ドキュメント、特に、セキュリティドキュメントは、一方又は双方の側において、第１の保護フィルム及び／又は第２の保護フィルムともにラミネートされ得る。さらに、ドキュメント、特に、セキュリティドキュメントは、保護フィルムから形成されたポーチへの挿入後、ポーチ内でラミネートされる。有利には、ラミネート温度は、感熱紙の活性温度より低い。
【０１００】
これにより、ドキュメント、特にセキュリティエレメントは、環境的な影響、例えば、機械的応力、化学的影響（例えば、可塑剤に対して）又は湿気から保護される。ドキュメント、特に、セキュリティドキュメントは、有利には、ステップｃ）の後、少なくとも１つの第１の情報項目を導入した後に、２つの保護層の間に配置され、当該２つの保護層とともにラミネートされ得る。これにより、ドキュメント、特に、セキュリティドキュメントは、環境的な影響から保護される。
【０１０１】
少なくとも１つの保護フィルムが、ＰＥＴ、ＰＥＴＧ、ＢＯＰＰ（＝二軸延伸ポリプロピレン）又はＰＰ（＝ポリプロピレン）を含む場合に有利である。少なくとも１つの保護フィルムは、好ましくは、２０μｍ〜３００μｍの層厚、好ましくは３０μｍ〜２５０μｍの層厚を有する。
【０１０２】
さらに、少なくとも１つの保護フィルムが接着層を有する場合に有益である。したがって、例えば、２つの保護層の間にドキュメント、特に、セキュリティドキュメントが配置されており、この２つの保護層の各々は、各々の場合に接着層を有する。接着層は、好ましくは、８０℃未満、好ましくは、６０℃未満の活性温度を有する。
【０１０３】
さらに、接着層を冷式接着層としてもよい。有利には、冷式接着層の活性温度は、室温であり、好ましくは１５℃〜３０℃、さらに好ましくは１９℃〜２５℃、さらにより好ましくは２０℃〜２４℃である。
【０１０４】
接着層は、好ましくは、着色顔料及び／又は染料及び／又はＵＶ吸収材を有する。接着層は染料により染色されてもよい。
【０１０５】
接着層は、好ましくは、透明であり、特に、透明でかつクリアな接着層である。
【０１０６】
また、少なくとも１つのシール層は保護ワニス層であってもよい。
【０１０７】
ステップｄ）において、少なくとも１つの保護ワニス層は、好ましくは、印刷、鋳造又はスプレーにより、ドキュメント、特に、セキュリティドキュメントに適用される。少なくとも１つの保護ワニス層の層厚は、好ましくは、０．１μｍ〜１００μｍであり、さらに好ましくは１〜５０μｍである。
【０１０８】
少なくとも１つの保護ワニス層は、有利には、ＵＶ光により硬化する層である。ＵＶ光により硬化する層は、好ましくは、アクリレート、ポリエステルアクリレート、ポリウレタン及び／又はポリウレタンアクリレートを含む。さらに、ＵＶ光により硬化する層は、溶媒を含んでいてもよい。そのような層の硬化は、好ましくは、乾燥により、特に、溶媒の蒸発により、及び／又は、ＵＶ光の照射により生じる。
【０１０９】
さらに、少なくとも１つの保護ワニス層を水ベースの層としてもよい。水ベースの保護ワニス層は、好ましくは、デンプン誘導体、メチルセルロース及び／又は無機添加剤を有するポリビニルアルコールを含む。そのような層の硬化は、好ましくは、乾燥により、特に、水の蒸発により、及び／又はエステル化によって生じる。
【０１１０】
さらに、少なくとも１つの保護ワニス層を溶媒ベース層としてもよい。溶媒ベース保護ワニス層は、好ましくは、アクリレート及び／又はポリウレタンを含む。そのような層の硬化は、好ましくは、乾燥により、特に、溶媒の蒸発により、及び／又は、イソシアネート反応により、特に、イソシアネートベースの架橋剤を用いることにより生じる。
【０１１１】
また、少なくとも１つの保護ワニス層は、特に、エポキシ樹脂をベースにした反応樹脂を含み得る。そのような層の硬化は、好ましくは、乾燥により、特に、溶媒の蒸発により、及び／又は、重付加による化学的架橋により生じる。
【０１１２】
乾燥による硬化、特に水及び／又は溶媒の蒸発における場合の温度は、好ましくは８０℃以下であり、好ましくは６０℃以下であり、さらに好ましくは４０℃以下である。
【０１１３】
また、少なくとも１つのシール層、特に、少なくとも１つの保護フィルム及び／又は接着層及び／又は保護ワニス層が、顔料、特にＵＶ光フィルタリング顔料又はＵＶ光吸収顔料を有する場合に有利である。したがって、顔料が、ＵＶ光、特に、１００ｎｍ〜３８０ｎｍ波長範囲、好ましくは、２００ｎｍ〜３８０ｎｍ波長範囲、さらに好ましくは２８０ｎｍ〜３８０ｎｍ波長範囲の光をフィルタリングするか吸収するように、少なくとも１つのシール層、特に少なくとも１つの保護フィルム及び／又は接着層及び／又は保護ワニス層が形成される。これにより、少なくとも１つの保護フィルム及び／又は接着層及び／又は保護ワニス層の下又はその間に配置されたドキュメント、特に、セキュリティドキュメントのさらなる層は、サーモグラフィー基材の上面に亘る平面に対して垂直に観察したときに、ＵＶ光から保護される。
【０１１４】
顔料、特に、ＵＶ光フィルタリング顔料又はＵＶ光吸収顔料は、好ましくは、酸化チタン及び／又は酸化亜鉛を有する。少なくとも１つのシール層における、特に少なくとも１つの保護フィルム及び／又は接着層及び／又は保護ワニス層におけるそのような顔料の濃度は、好ましくは、０．１重量パーセント〜１５重量パーセント、好ましくは０．２重量パーセント〜１０重量パーセント、さらに好ましくは０．５重量パーセント〜５重量パーセントである。
【０１１５】
さらに、顔料、特に、ＵＶ光フィルタリング顔料又はＵＶ光吸収顔料は、トリアジン、ベンゾトリアゾール、ベンゾフェノン、オキサルアニリド、及び／又はピペリジンを有する。少なくとも１つのシール層における、特に、少なくとも１つの保護フィルム及び／又は接着層及び／又は保護ワニス層におけるそのような顔料の濃度は、好ましくは０．０１重量パーセント〜１０重量パーセントであり、好ましくは０．１重量パーセント〜５重量パーセントである。
【０１１６】
ドキュメント、特に、セキュリティドキュメントは、好ましくは、チケット、バウチャー、旅行券、ラベル、レシート、値札、時刻表、取引明細書、医療用及び／又は技術用のグラフ用紙、宝くじ、ファックス用紙、又はＩＤドキュメントである。
【０１１７】
添付の図を用いて本発明の実施例を以下に例として説明する。なお、添付の図は縮尺通りに描いていない。
【図面の簡単な説明】
【０１１８】
【図１ａ】図１ａはドキュメントを製造する方法のステップを概略的に示している。
【図１ｂ】図１ｂはドキュメントのデザインの変形例を示す概略的な上面図及び断面図である。
【図１ｃ】図１ｃはドキュメントのデザインの変形例を示す概略的な上面図及び断面図である。
【図２ａ】図２ａはドキュメントを製造する方法のステップを概略的に示している。
【図２ｂ】図２ｂはドキュメントの概略的な上面図及び断面図である。
【図３ａ】図３ａはドキュメントを製造する方法のステップを概略的に示している。
【図３ｂ】図３ｂはドキュメントのデザインの変形例を示す概略的な上面図及び断面図である。
【図３ｃ】図３ｃはドキュメントのデザインの変形例を示す概略的な上面図及び断面図である。
【図４】図４はドキュメントを製造する方法のステップを概略的に示している。
【図５】図５はドキュメントを製造する方法のステップを概略的に示している。
【図６】図６はドキュメントを製造する方法のステップを概略的に示している。
【図７ａ】図７ａはサーモグラフィー基板のデザインの変形例を示す概略断面図である。
【図７ｂ】図７ｂはサーモグラフィー基板のデザインの変形例を示す概略断面図である。
【図８ａ】図８ａはフィルムエレメントのデザインの変形例を示す概略断面図である。
【図８ｂ】図８ｂはフィルムエレメントのデザインの変形例を示す概略断面図である。
【図８ｃ】図８ｃはフィルムエレメントのデザインの変形例を示す概略断面図である。
【図８ｄ】図８ｄはフィルムエレメントのデザインの変形例を示す概略断面図である。
【図８ｅ】図８ｅはフィルムエレメントのデザインの変形例を示す概略断面図である。
【図８ｆ】図８ｆはフィルムエレメントのデザインの変形例を示す概略断面図である。
【図８ｇ】図８ｇはフィルムエレメントのデザインの変形例を示す概略断面図である。
【図８ｈ】図８ｈはフィルムエレメントのデザインの変形例を示す概略断面図である。
【図８ｉ】図８ｉはフィルムエレメントのデザインの変形例を示す概略断面図である。
【図８ｊ】図８ｊはフィルムエレメントのデザインの変形例を示す概略断面図である。
【図８ｋ】図８ｋはフィルムエレメントのデザインの変形例を示す概略断面図である。
【図８ｌ】図８ｌはフィルムエレメントのデザインの変形例を示す概略断面図である。
【図８ｍ】図８ｍはフィルムエレメントのデザインの変形例を示す概略断面図である。
【図８ｎ】図８ｎはフィルムエレメントのデザインの変形例を示す概略断面図である。
【図８ｏ】図８ｏはフィルムエレメントのデザインの変形例を示す概略断面図である。
【図８ｐ】図８ｐはフィルムエレメントのデザインの変形例を示す概略断面図である。
【図９】図９はドキュメントのデザインの変形例を示す概略的な上面図である。
【図１０】図１０はドキュメントのデザインの変形例を示す概略的な断面図である。
【図１１】図１１はドキュメントのデザインの変形例を示す概略的な上面図である。
【図１２】図１２はドキュメントのデザインの変形例を示す概略的な断面図である。
【発明を実施するための形態】
【０１１９】
図１ａは、ドキュメント１を製造するための方法のステップを示している。ドキュメント１は、図１ａに示すように、サーモグラフィー基板２を有する。サーモグラフィー基板２は、温度効果に応じて、色変化１５が局所的に生じる。さらに、サーモグラフィー基板２と、温度効果を生じさせるサーマルプリントヘッド６との間に、フィルムエレメント５が設けられている。フィルムエレメント５は一つ又は複数の層を有していてもよい。サーマルプリントヘッド６は複数の加熱エレメントを有している（詳細に図示せず）。
【０１２０】
サーモグラフィー基板２の上面は、図１ｂに示すように、Ｘ座標軸２５及びＹ座標軸２６に亘る平面と平行をなす平面に亘っている。図１ａに示すように、Ｚ座標軸２７は、この平面に対して直交しており、したがって、サーモグラフィー基板２の上面に亘る平面に対して直交している。
【０１２１】
サーモグラフィー基板２は、感熱性層３１及びベース層３０を有する。図１ａにおいて、感熱性層３１及びベース層３０は、別個の２つの層である。さらに、ベース層３０に適用される感熱性コーティングが、少なくとも所定の領域において、ベース層３０の体積に延在していてもよい。
【０１２２】
ベース層３０は、好ましくは紙の層であり、特に３５μｍ〜４００μｍの層厚を有する。図１ａにおけるベース層３０の層厚は、１２５μｍである。さらに好ましくは、ベース層は、絶対乾燥状態で、３５ｇ／ｍ２〜４００ｇ／ｍ２の単位面積当たり重量を有する。さらに、ベース層３０は、一つ又は複数の紙及び／又はプラスチック層、及び、特に、一連の紙及びプラスチック層からなるものであってもよい。
【０１２３】
感熱性層３１は、好ましくは、発色物質を含み、この発色物質は、暖気の効果の下で、化学的に作用して、色変化１５を生じさせる。感熱性層３１は、好ましくは、顔料、バインダ、カラー形成剤、現像剤及び補助材料を有する。結晶形態又はｐＨ中性環境で無色に見えるロイコ染料は、好ましくは、カラー形成剤として使用される。酸性環境の溶融物中では、開環したラクトン環のためにロイコ染料は有色に見える。例えば、そのようなロイコ染料は、酸によりマトリックスに固定され得る。マトリックスを融点以上に加熱すると、化学反応が生じ、ロイコ染料は可視波長範囲からの光の吸収によって有色に見える。例えば、ビスフェノールＡ（ＢＰＡ）又はビスフェノールＳ（ＢＰＳ）等のフェノールは、現像剤として使用し得る。カラー形成剤の他の例としては、トリアリールメタン染料、ジフェニルメタン染料、スピロ染料、フルオラン染料等が挙げられる。さらに、現像剤は有機又は無機の現像材料から選択され得る。無機現像材料の例としては、活性白土、アタパルジャイト、コロイダルシリカ、ケイ酸アルミニウム等が挙げられる。有機現像材料の例としては、フェノール化合物、フェノール化合物又は芳香族カルボン酸の塩等、及び、例えば、亜鉛、マグネシウム、アルミニウム、カルシウム、チタン、マンガン、スズ、ニッケル等の多価金属、及び／又はチオシアン酸亜鉛のピリジン錯体が挙げられる。
【０１２４】
乾燥後、感熱性層３１は、好ましくは、絶対乾燥状態で、１ｇ／ｍ２〜１０ｇ／ｍ２の適用重量を有し、さらに好ましくは、絶対乾燥状態で、２ｇ／ｍ２〜７ｇ／ｍ２の適用重量を有する。図１ａに示すように、暖気の効果の下、感熱性層３１における発色物質は、領域１０ａにおいて、無色から黒へと色変化１５を生じさせる。さらに、例えば、黄色からバイオレットへと、２つの異なる色の間で色変化が生じてもよい。したがって、図１ａに示す、無色から黒への色変化１５に加えて、無色から有色への色変化、２つの異なる色の間の色変化、あるいは例えば、濃緑から薄緑へのコントラストの変化が可能である。
【０１２５】
図１ａに示すように、領域１０ａにおいて色変化１５を生じさせるため、色変化１５を生じさせる温度効果がサーマルプリントヘッド６からフィルムエレメント５を介してサーモグラフィー基材の領域１０ａへと伝わるように、サーマルプリントヘッド６は、フィルムエレメント５と接触する。サーマルプリントヘッド６により生じた熱エネルギーは、フィルムエレメント５を介して伝わり、これにより、感熱性層３１が領域１０ａにおいて活性化され、色変化１５を生じさせるように促進される。領域１０ａにおいて生じた色変化１５は、情報項目を表す。さらに、色変化が生じている複数の領域において情報項目が表わされていてもよい。図１ａに示すように、色変化１５が生じている領域が情報項目２０ａを表すように、サーモグラフィー基板２は、Ｘ軸の方向において供給方向２８に沿って移動する。さらに、サーモグラフィー基板２に情報項目２０ａを導入するように、サーマルプリントヘッド６がサーモグラフィー基板２に対して移動してもよい。図示例において、サーマルプリントヘッド６は、サーモグラフィー基板２に対して供給方向２８の反対方向に移動する。
【０１２６】
有利には、色変化１５を生じさせる温度効果がサーマルプリントヘッド６からフィルムエレメント５を介してサーモグラフィー基板２の領域１０ａに伝わるように、フィルムエレメント５は、サーマルプリントヘッド６と反対側となる側において、ドキュメント１及び／又はサーモグラフィー基板２と接触している。
【０１２７】
サーマルプリントヘッド６は、好ましくは、例えば、加熱抵抗器等の複数の加熱エレメントを備えた領域を有する。サーマルプリントヘッドにより導入された情報項目の解像度は、有利には、１５０ｄｐｉを超える値、好ましくは３００ｄｐｉを超える値、さらに好ましくは６００ｄｐｉを超える値である。サーマルプリントヘッド６の最大幅は、好ましくは少なくとも５ｍｍ、好ましくは少なくとも１０ｍｍ、さらに好ましくは少なくとも５０ｍｍ、さらにより好ましくは少なくとも１００ｍｍである。サーマルプリントヘッドは、情報項目の導入中に、最大幅に亘ってフィルムエレメント５と接触する。
【０１２８】
図１ａにおいて、色変化１５が生じている間、サーマルプリントヘッド６は、７０℃〜２２０℃の間の温度を有し、サーモグラフィー基板２の領域１０ａにおける温度効果は、５０℃〜２００℃である。
【０１２９】
供給方向２８へのサーモグラフィー基板２の供給及び／又はサーマルプリントヘッド６の加熱エレメントの活性化に応じて、色変化１５の大きさ及び形状を変更することができる。したがって、例えば、領域１０ｖは、Ｘ軸の方向において領域１０ａよりも範囲が大きい。
【０１３０】
図１ｂ及び図１ｃは、ドキュメント１のデザインの変形例を示す概略的な上面図及び断面図である。
【０１３１】
図１ｂは、サーモグラフィー基板２を備えたドキュメント１を示している。ドキュメント１は、領域１０ｂにおける情報項目２０ｂ、領域１０ｃにおける情報項目２０ｃ、及び領域１０ｄにおける情報項目２０ｄを有する。情報項目２０ｂ，２０ｃ，２０ｄは、色変化１５を介してサーモグラフィー基板２にそれぞれ導入される。情報項目２０ｂ，２０ｃ，２０ｄを表す色変化１５は、図１ｂに示すようにパターン化されて形成される。パターンは、例えば、図式的に描写された輪郭、図形、イメージ、モチーフ、シンボル、ロゴ、ポートレイト、英数字、テキスト等とし得る。したがって、サーモグラフィー基板２における領域１０ｂに生じた色変化１５により、情報項目２０ｂとしてバーコードが形成されている。さらに、領域１０ｃにおける色変化１５により、情報項目２０ｃとして十字が形成され、領域１０ｄにおける色変化１５により、テキスト情報として英数字が形成されている。
【０１３２】
図１ｃは、サーモグラフィー基板２を備えたドキュメント１を示している。ドキュメント１は、領域１０ｅにおける情報項目２０ｅ、領域１０ｆにおける情報項目２０ｆ、及び領域１０ｇ，１０ｈにおける英数字の形態をなす情報項目を有する。したがって、サーモグラフィー基板２における領域１０ｅにおいて生じた色変化１５により、情報項目２０ｅとして星が形成されている。さらに、領域１０ｆにおける色変化１５により、情報項目２０ｆとしてバーコードが形成されている。
【０１３３】
図２ａは、サーモグラフィー基板２を備えたドキュメント１を製造するための方法のステップを概略的に示している。図２ａに示す方法のステップは、図１ａに示す方法のステップに対応しているが、温度効果を生じさせるサーマルプリントヘッド６とサーモグラフィー基板２との間に配置されたフィルムエレメント５が、一つ又は複数の第１の層と、１つのキャリア層４１と、を含む点において相違している。一つ又は複数の第１の層は、サーマルプリントヘッド６により、転写プライ４０として、所定の領域においてキャリア層４１からドキュメント１に転写される。したがって、転写プライ４０は、フィルムエレメントの一つ又は複数の第１の層により形成される。
【０１３４】
キャリア層４１は、好ましくは、プラスチックの層、例えば、６μｍ〜１２５μｍの層厚を有するポリエステルから形成される。図２ａに示すキャリア層４１は、ポリエチレンテレフタレート（＝ＰＥＴ）から形成され、４．５μｍの層厚を有している。キャリア層４１と転写プライ４０との間において、剥離層は、有利に適用されている。この剥離層は、好ましくは、ワックス層として形成されるか、あるいは、代替例として強固に薄膜で覆われたアクリレートから形成され、これにより、キャリア層４１からの転写プライ４０の剥離が促進される。
【０１３５】
図２ａに示すように、領域１０ｉにおける色変化１５の導入中、フィルムエレメント５の転写プライ４０は、領域１０ｉにおいてドキュメント１に適用される。したがって、領域１０ｉにおいて、一方では、サーマルプリントヘッド６から、フィルムエレメント５を介してサーモグラフィー基板２の領域１０ｉへと温度効果が伝達されることにより色変化１５が生じ、他方では、フィルムエレメント５の転写プライ４０が領域１０ｉにおいてドキュメント１に適用される。サーモグラフィー基材２を有するドキュメント１に適用される転写プライ４０は、領域１０ｉにおける色変化１５に対して正確にフィットするように、すなわち精度よく配置される。図２ａに示すように、色変化１５が生じる全ての領域において、転写プライ４０がドキュメント１に適用される。ドキュメント１に適用される転写プライ４０ａは、対応するようにフィルムエレメント５から取り除かれ、その結果、所定の領域においてフィルムエレメント５から転写プライ４０ｅが取り除かれる。
【０１３６】
図２ａにおいて、領域１０ｉにおいて色変化１５が生じている間、及び領域１０ｉにおける第１の層の適用の間、サーマルプリントヘッド６は、７０℃〜２２０℃の温度を有する。サーモグラフィー基板２の領域１０ｉにおけるサーマルプリントヘッド６により誘発される温度効果は、５０℃〜２００℃である。
【０１３７】
図２ｂは、ドキュメント１の概略的な上面図及び断面図を示している。したがって、図２ｂは、サーモグラフィー基板２を有するドキュメント１を示している。ドキュメント１は、領域１０ｊ，１０ｋ、１０ｌの各々において、情報項目を有している。さらに、情報項目を表すために、サーモグラフィー基板２における領域１０ｊ，１０ｋ，１０ｌにおいて色変化１５が生じる。さらに、領域１０ｊ、１０ｋ、１０ｌにおける色変化１５に正確にフィットするように、転写プライ４０ａがドキュメント１に適用される。領域１０ｊ，１０ｋ，１０ｌにおける転写プライ４０ａは、透明に形成される。さらに、領域１０ｊ，１０ｋ，１０ｋにおける転写プライ４０ａは、不透明、透過性、半透明に形成されてもよい。したがって、例えば、転写プライ４０ａを、領域１０ｋにおいて不透明でかつ赤色に形成してもよい。
【０１３８】
図３ａは、サーモグラフィー基板２を有するドキュメント１を製造するための方法のステップを概略的に示している。図２ａに示す方法のステップは、図２ａの方法のステップに対応しているが、色変化１５が領域１１ａにおいて生じておらず、フィルムエレメント５の転写プライ４０が情報項目２１ａを表すためサーマルプリントヘッド６によりドキュメント１に適用されるように、領域１１ａにおいて、色変化１５を生じさせる温度効果が選択される点において相違している。図３ａに示すように、サーモグラフィー基板２において色変化が生じ、かつ転写プライ４０ａがドキュメント１に適用されている領域は、情報項目２０ａを形成している。さらに、転写プライ４０ａだけがドキュメント１に適用されている領域は、情報項目２１ａを形成している。したがって、例えば、関連性の低い情報項目２１ａ等の情報項目は、転写プライ４０ａだけにより適用され、例えば、有効期限等の関連性の高い情報項目２０ａ等の情報項目は、転写プライ４０により適用され、色変化１５によりサーモグラフィー基板２に導入される。
【０１３９】
サーモグラフィー基板２における色変化１５の発生に要求される温度効果は、好ましくは、ドキュメント１に対する転写プライ４０ａの適用に要求される温度効果よりも高い。ドキュメント１に対する転写プライ４０ａの適用に要求される温度効果のエネルギーは、有利には、サーモグラフィー基板２における色変化１５の発生に要求される温度効果のエネルギーの８２．５％未満であり、好ましくは、８０％未満である。ドキュメント１に対する転写プライ４０ａの適用に要求される温度効果が相対的により低いため、例えば、領域１１ａにおいて、サーモグラフィー基材において色変化１５が生じずに、転写プライ４０ａだけをドキュメント１に適用することができる。図３ａにおいて、領域１０ｉにおいて色変化１５が生じている間及び領域１０ｉにおける転写プライの適用の間、サーマルプリントヘッド６は、７０℃〜２２０℃の温度を有しており、一方、領域１１ａにおける転写プライ４０ａの適用の間、サーマルプリントヘッド６は、５７．７５℃〜１８１．５℃の温度を有している。
【０１４０】
図３ｂ及び図３ｃは、ドキュメント１のデザインの変形例を示す概略的な上面図及び断面図である。
【０１４１】
図３ｂは、サーモグラフィー基板２を有するドキュメント１を示しており、ドキュメント１は、領域１０ｍ，１０ｎ，１１ｂの各々において情報項目を有している。さらに、情報項目を表すため、サーモグラフィー基板２における領域１０ｍ，１０ｎにおいて色変化１５が生じている。さらに、転写プライ４０ａは、領域１０ｍ，１０ｎにおいて色変化１５に正確にフィットするようにドキュメント１に適用されている。ドキュメント１において、領域１１ｂには転写プライ４０ａだけが適用されている。転写プライ４０ａは、領域１０ｍにおいて透明に形成されている。領域１０ｎ，１１ｂにおいて、転写プライ４０ａは、異なる色、例えば、パントーン（登録商標）（Ｐａｎｔｏｎｅ）カラーシステム（パントーン（登録商標）マッチングシステム−ＰＭＳ）の異なる色で有色に形成されている。
【０１４２】
図３ｃは、サーモグラフィー基板２を有するドキュメント１を示しており、ドキュメント１は、領域１０ｏ，１０ｐ，１１ｃの各々において情報項目を有している。さらに、情報項目を表すため、サーモグラフィー基板２における領域１０ｏ，１０ｐに色変化１５が生じている。さらに、転写プライ４０ａは、領域１０ｏ，１０ｐにおいて色変化１５に正確にフィットするようにドキュメント１に適用されている。ドキュメント１において、領域１１ｃには転写プライ４０ａだけが適用されている。転写プライ４０ａは、領域１０ｏにおいて透明に形成されている。領域１０ｐ，１１ｃにおいて、転写プライ４０ａは、異なる色、例えば、ＲＧＢ色空間の赤及び緑で形成されている。
【０１４３】
図４は、ドキュメント１を製造するための方法のステップを概略的に示している。図４に示す方法のステップは、図３ａに示した方法のステップに対応しているが、領域１０ｒ及び領域１１ｒがサーマルプリントヘッド６の最大記録範囲１２に位置している点において相違している。サーマルプリントヘッド６の最大記録範囲１２は、サーマルプリントヘッド６の最大面積に対応しており、最大面積において、サーマルプリントヘッド６は、色変化１５が生じている間、フィルムエレメント５と接触している。
【０１４４】
ここで、図４におけるサーマルプリントヘッド６は、加熱エレメント６ｈを有する。サーマルプリントヘッド６の加熱エレメント６ｈは、前記記録範囲１２においてフィルムエレメント５に接触する。さらに、フィルムエレメント５が前記記録範囲１２に対応する面積に亘ってドキュメント１と接触するように、サーマルプリントヘッド６の加熱エレメント６ｈは、フィルムエレメント５と接触する。サーマルプリントヘッド６の加熱エレメント６ｈは、領域１０ｒにおいて温度効果を生じさせる。これにより、領域１０ｒにおいて、色変化１５がサーモグラフィー基板２に生じ、転写プライ４０ａがドキュメント１に適用される。領域１１ｒにおいて転写プライ４０ａだけがドキュメント１に適用されるように、サーマルプリントヘッド６の加熱エレメント６ｈは、領域１１ｒにおいて、温度効果を生じさせる。前述したように、要求される暖気の効果又はサーモグラフィー基板２における色変化１５の発生は、好ましくは、ドキュメント１に転写プライ４０ａを適用するための熱の効果よりも高い。このため、領域１１ｒにおいて、転写プライ４０ａだけをドキュメント１に適用することが可能となる。領域１１ｒにおけるサーマルプリントヘッドの加熱エレメント６ｈは、領域１０ｒにおける加熱エレメントより低い温度を有する。したがって、領域１０ｒにおける加熱エレメント６ｈの温度は、例えば、１００℃であり、領域１１ｒにおける加熱エレメント６ｈの温度は、８０℃である。
【０１４５】
図５は、ドキュメント１を製造する方法のステップを示している。図５に示す方法のステップは、図１ａの方法に示した方法のステップに対応しているが、サーモグラフィー基板２が第２の層６０を有し、第２の層６０がフィルムエレメント５とサーモグラフィー基板２との間に配置されている点において相違している。第２の層６０は、好ましくは、少なくとも所定の領域において透明に形成されている。このため、サーモグラフィー基板２において領域１０ａに生じた色変化１５は、所定の領域において透明である第２の層６０を通して認識可能となっている。図５において、色変化１５を生じさせる温度効果は、第２の層６０及びフィルムエレメント５の双方を介してサーモグラフィー基板２の領域１０ａに伝達される。
【０１４６】
図６は、ドキュメント１を製造する方法のステップを示している。図６に示す方法のステップは、図３ａに示した方法のステップに対応しているが、サーモグラフィー基板２が一つ又は複数の第２の層６０を有し、第２の層６０がフィルムエレメント５とサーモグラフィー基板２との間に配置されている点において相違している。前述したように、色変化１５を生じさせる温度効果は、第２の層６０及びフィルムエレメント５の双方を介して、サーモグラフィー基板２の領域１０ａに伝達される。
【０１４７】
図７ａ及び図７ｂに示すサーモグラフィー基板２のデザインの変形例について、以下に説明する。
【０１４８】
図７ａは、ベース層３０、感熱性層３１、保護層３２、中間層３３及び層３４を含むサーモグラフィー基板２を示している。層３０，３１については、前述した事項を参照されたい。
【０１４９】
保護層３２（コーティングとも言う）は、好ましくは、ポリマー層、特に、ポリマーコーティングである。ここで、典型的なポリマーは、ＰＶＡ（ポリビニルアルコール）、変性ＰＶＡ、並びに、約７０℃未満の架橋温度をもたらすアクリル酸（アクリレート）との共重合体である（架橋温度は、感熱層の反応温度よりも低くなければならない）。通常、坪量は、絶対乾燥状態で、１ｇ／ｍ２〜５ｇ／ｍ２である。保護層３２の厚さは、通常、１μｍ〜３μｍである。（層が厚いほど、保護が良好であるが、感熱性層３１はより絶縁され、したがって、動的感度はより一層損なわれる。）顔料、例えばＰＣＣ、及び熱分解ケイ酸は、保護層３２の組成物に添加され得る。含有される顔料が多いほど、例えば、インクジェット又はオフセット印刷によるサーモグラフィー基板２の印刷適性が良好となるが、不透過性が劣り、したがって、コーティングの保護機能が劣る。さらに、保護層３２の一部には、熱印刷中に融解する潤滑剤が添加されており、これにより、サーマルプリントヘッド６のスライドが可能となり、したがって、摩耗が低減する。潤滑剤は、通常、ステアリン酸塩（例えば、亜鉛又はカルシウム石鹸）である。これらの物質は油性の内容物を含むため、含有量が多い場合、例えば、保護層３２のインクジェット又はオフセット印刷による印刷適性は減少する。保護層３２は、例えば、機械的応力、化学的影響（例えば、可塑剤に対する）、空気の湿度等の環境の影響又はサーモグラフィー基板２に任意的に適用される印刷からサーモグラフィー基板２を保護する。さらに、サーモグラフィー基板２の上面及びサーモグラフィー基板２の下面の双方に保護層３２を適用してもよい。
【０１５０】
中間層３３は、好ましくは、紙層、特に、紙コーティングであり、主に無機顔料（例えば、炭酸カルシウム、カオリン）及び／又は中空球状顔料及びポリマーバインダーからなる。層厚は、２μｍ〜１２μｍであり、坪量は、絶対乾燥状態で、３ｇ／ｍ２〜１５ｇ／ｍ２である。中間層３３により、均一で滑らかな面が可能となり、この面に感熱性層３１が適用される。これにより、高解像度及び高イメージ品質が実現し得る。さらに、ベース層３０への熱の入力が抑制され、したがって、感熱性層３１の感度特性が向上する。
【０１５１】
また、保護層３２及び／又は中間層３３は、サーモグラフィー基板２に良好な平坦性を確保するとともに、不浸透性（例えば、でんぷん溶液に対して）又は印刷適性（顔料コーティング）を向上させるために、ベース層３０の両側に配置され得る。平坦性は、再湿潤系（すなわち水）だけで部分的に最適化される。
【０１５２】
層３４は、好ましくは、０．８μｍ〜１０μｍの層厚を有するプリントカラー層３４である。さらに、層３４は、電磁放射線の照射の場合、好ましくは、ＵＶ光の照射の場合、及び／又はＩＲ光の照射の場合、人間の目に見える波長範囲、特に３８０ｎｍ〜７８０ｎｍの波長範囲で光を発する顔料を有する。層３４を所定の領域において適用することができる。さらに、所定の領域において層３４が適用されている領域を、例えば、ロゴ又は英数字の形態でパターン化して形成してもよい。さらに、パターンは、例えば、図式的に描写された輪郭、図形、イメージ、モチーフ、シンボル、ポートレイト、テキスト等とし得る。
【０１５３】
図７ｂは、領域１４に第２の層６０を有するサーモグラフィー基板２を示している。層３０，３１，３２，３３のデザインについては、前述した事項を参照されたい。第２の層６０は、好ましくは、少なくとも所定の領域において透明に形成される。さらに、少なくとも所定の領域において第２の層６０を染色してもよい。また、少なくとも所定の領域において第２の層６０を不透明に形成してもよい。
【０１５４】
第２の層６０は、保護ワニス層６０ａ、複写ワニス層６０ｂ、反射層６０ｃ及び結合層６０ｄを含む。本実施例では、層６０ｂ，６０ｃは、装飾層６１を形成する。保護ワニス層６０ａは、好ましくは、透明に形成される。また、少なくとも所定の領域において保護ワニス層６０ａを染色してもよい。保護ワニス層６０ａは、好ましくは、１μｍの層厚を有する。保護ワニス層６０ａは、好ましくは、ＰＭＭＡ、ＰＶＣ、アクリレート及び／又はカルナウバろうの層である。
【０１５５】
複写ワニス層６０ｂは、好ましくは、１μｍ〜５μｍの層厚を有する熱可塑性複写ワニス層からなる。反射層６０ｃに配向された複写層６０ｂの面において、レリーフ構造は、熱可塑性の複写層の使用に伴い、熱及び圧力を用いる対応する複写ツールにより、少なくとも所定の領域に成形される。さらに、複写ワニス層６０ｂは、ＵＶ架橋性ワニスにより形成され、レリーフ構造は、ＵＶ複写により複写ワニス層６０ｂに成形され得る。レリーフ構造は、スタンピング工具の作用により、未硬化の複写ワニス層６０ｂに成形され、複写ワニス層６０ｂは、ＵＶ光の照射による成形の前、成形中及び／又は成形後に硬化する。
【０１５６】
レリーフ構造は、ホログラフ的に生成され、複製マスターにコピーされる、二次元／三次元のホログラムのレリーフ構造とし得る。さらに、レリーフ構造は、また、コンピュータにより生成されたホログラム及び回折エレメント、例えば、キネグラム（登録商標）とし得る。そのようなレリーフ構造は、好ましくは、１００線／ｍｍ〜５０００線／ｍｍの間の空間周波数を有し、かつ、空間周波数、方位角及び／又はレリーフ形状の異なるレリーフ構造に覆われている複数の異なる領域を任意選択的に有し、したがって、所望とする光学的に可変の外観を生成する。さらに、レリーフ構造は、マット構造、特に、異方性マット構造を形成するレリーフ構造とし得る。ここで、異方性マット構造とは、散乱特性が観測角度に依存し、したがって光学的に変化する外観を示すマット構造を意味している。これらのマット構造は、好ましくは、ホログラフ的に生成されるが、回折エレメントの対応するコンピュータ生成構造によっても形成され得る。さらに、レリーフ構造は、屈折エレメント、例えば、レンズ、マイクロレンズグリッド又はマイクロプリズムを形成し得る。さらに、レリーフ構造は、また、０次回折構造を形成し得る。これらの回折構造は、格子、特に規則的な格子、例えば、公差格子又は線形格子によって形成され、個々の構造エレメントの互いに対する間隔は、可視光範囲の波長λより小さい。そのようなレリーフ構造により印象的な光学的に可変のセキュリティ特徴部が提供され、回転させたときに、この特徴部において色変化が観察者に示される。
【０１５７】
反射層６０ｃは、好ましくは、金属層、及び／あるいは、ＨＲＩ層又はＬＲＩ層（ＨＲＩ−高屈折率、ＬＲＩ−低屈折率）である。
【０１５８】
反射層６０ｃは、クロム、アルミニウム、金、銅、銀又はこれらの金属の合金からなる金属層として形成され得る。金属層は、好ましくは、１０ｎｍ〜１５０ｎｍの層厚で、真空下で蒸着される。
【０１５９】
さらに、反射層６０ｃは、透明な反射層、好ましくは、薄い又は微細構造の金属層、あるいは誘電ＨＲＩ層又は誘電ＬＲＩ層により形成され得る。そのような誘電反射層は、例えば、金属酸化物、金属硫化物、例えば、酸化チタン等から形成された蒸着層からなり、２５ｎｍ〜５００ｎｍの厚さを有する。
【０１６０】
さらに、反射層６０ｃは、所定の領域において所定の形状を有していてもよい。また、反射層６０ｃは、パターン化されて形成され得る。パターンは、例えば、図式的に描写された輪郭、図形、イメージ、モチーフ、シンボル、ロゴ、ポートレイト、英数字、テキスト等とし得る。このため、反射層６０ｃは、周知のプロセスにより構成され、特に、所定の領域において取り除かれる。例えば、これは、周知のエッチングプロセス及び／又は洗浄プロセスにより行われる。
【０１６１】
図７ｂにおいて、層６０ｂ，６０ｃは、装飾層６１を形成し、セキュリティ特徴部を提供する。しかし、装飾層６１は、セキュリティ特徴部を提供する一つ又は複数の層を有していてもよく、当該層は、セキュリティ印刷、ＵＶ又はＩＲ印刷、マイクロ印刷、光学的に可変の顔料を含む層、屈折エレメント、回折エレメント、異方性マット構造、レリーフホログラム、体積ホログラム、０次回折構造、薄膜層エレメント及び／又は観察角に応じて色変化効果を生じさせる架橋液晶層からなる群から選択される一つ又は複数のエレメントを含む。
【０１６２】
結合層６０ｄは、好ましくは、冷式接着層である。この冷式接着層により、第２の層６０が層３２に適用される。ここで、冷式接着層とは、接着層によりもたらされる接着力が、冷式接着層を取り囲む層６０ｃ，３２を共に押すことによってのみ、層６０ｃ，３２間で生じる（すなわち、熱を用いることなく生じる）接着層を意味する。例えば、圧力及び照射によらず硬化する従来の接着剤又は圧力下で硬化する接着剤は、冷式接着剤として使用されている。さらに、ＵＶ硬化型の接着層を使用してもよい。ＵＶ硬化型接着層の硬化は、好ましくは、約２５０ｎｍ〜約４００ｎｍの波長を有するＵＶの照射により行われる。結合層６０ｄは、好ましくは、人間の目に見える波長範囲で透明に形成され、特に透明でかつクリアに形成される。「透明」とは、人間の目に見える波長範囲における、５０％を超える、さらに好ましくは８０％を超える、さらに好ましくは９０％の透過率を意味する。「クリア」とは、層を透過する光の５０％未満、さらに好ましくは８０％未満が拡散される層を意味する。結合層６０ｄは、好ましくは、層厚１μｍ〜１０μｍの層厚、好ましくは１μｍ〜５μｍの層厚を有する。
【０１６３】
有利には、第２の層６０は、コールドエンボス加工によりサーモグラフィー基材に適用され、その結果、第２の層６０の適用中に感熱性層３１において望ましくない色変化が抑制される。
【０１６４】
フィルムエレメント５のデザイン変形例、又はフィルムエレメント５の第１の層デザイン変形例について、以下説明する。図８ａ〜図８ｐは、フィルムエレメント５のデザインの変形例を示す概略断面図である。図８ｂ〜図８ｐのフィルムエレメントは、ここで、ドキュメントに適用され得る第１の層を有している。したがって、フィルムエレメント５の第１の層は、転写プライ４０として形成され、転写プライ４０はサーマルプリントヘッドによりドキュメントに適用される。したがって、特に図８ｂ〜図８ｐのフィルムエレメントは、転写フィルム、特に熱転写フィルムであってもよい。
【０１６５】
図８ａは、耐熱層４２、キャリア層４１及びスライド層４３を含むフィルムエレメント５を示している。キャリア層４１については、前述した事項を参照されたい。耐熱層４２及びスライド層４３は、ポリエステル樹脂及びポリシロキサンの層である。耐熱層４２及びスライド層４３は、好ましくは、０．２５ｇ／ｍ２の適用重量をそれぞれ有している。図８ａに示したフィルムエレメント５は、ドキュメントに転写され得る転写プライを備えていないフィルムエレメントである。
【０１６６】
図８ｂは、耐熱層４２、キャリア層４１、透明保護ワニス層４４及び接着層４５を有するフィルムエレメント５を示している。層４１，４２については、前述した事項を参照されたい。透明保護ワニス層４４は、例えば、ポリメチルメタクリレート、ＰＶＣ、アクリレート及び／又はカルナウバろうの層である。透明保護ワニス層４４は、好ましくは、０．４ｇ／ｍ２の適用重量を有する。接着層４５は、好ましくは、１．５ｇ／ｍ２〜５ｇ／ｍ２の適用重量を有し、アクリレート、ＰＶＣ（＝ポリ塩化ビニル）、ＰＵＲ（＝ポリウレタン）又はポリエステルを含む。図８ｂのフィルムエレメント５は、層４４，４５が転写プライ４０としてドキュメントに適用されるフィルムエレメントである。
【０１６７】
図８ｃは、耐熱層４２、キャリア層４１、並びに着色顔料及び／又は溶解染料を有する層４６を含むフィルムエレメント５を示している。層４１，４２については、前述した事項を参照されたい。着色顔料及び／又は溶解染料を有する層４６は、例えば、カルナウバろう、ポリウレタン、エチレンビニルアセテート、スチレンアクリレート及び着色顔料の層である。層４６は、好ましくは、４ｇ／ｍ２の適用重量を有する。図８ｃのフィルムエレメント５は、層４６が転写プライ４０としてドキュメントに転写されるフィルムエレメントである。
【０１６８】
図８ｄは、耐熱層４２、キャリア層４１、剥離層４７、並びに着色顔料及び／又は溶解染料を有する層４６を含むフィルムエレメント５を示している。層４１，４２，４６については、前述した事項を参照されたい。剥離層４７は、好ましくは、ワックス層、特にカンデリラろう及びモンタン酸ろうの層であり、あるいは、代替例として、強固に薄膜で覆われたアクリレートの層である。剥離層４７は、好ましくは、１．７ｇ／ｍ２の適用重量を有する。図８ｄのフィルムエレメント５は、層４６が転写プライ４０としてドキュメントに適用されるフィルムエレメントである。
【０１６９】
図８ｅは、耐熱層４２、キャリア層４１、透明保護ワニス層４４、並びに着色顔料及び／又は溶解染料を含む層４６を有するフィルムエレメント５を示している。層４１，４２，４４，４６については、前述した事項を参照されたい。図８ｅのフィルムエレメント５は、層４４，４６が転写プライ４０としてドキュメントに転写されるフィルムエレメントである。
【０１７０】
図８ｆは、図８ｅに対応しているが、着色顔料及び／又は溶解染料を含む層４６が領域１６に適用され、領域１７に適用されていない点において相違している。領域１６及び／又は領域１７は、パターン化されて形成され、例えば、英数字又はモチーフの形態で、パターン化されて形成され得る。また、領域１６及び／又は領域１７は、図式的に描写された輪郭、図形、イメージ、シンボル、ロゴ、ポートレイト、テキスト等の形態で形成され得る。領域１６及び領域１７は、好ましくは、グリッドに応じて配置されている。グリッドの解像限界は、人間の裸眼の解像限界より大きく、特に３００μｍより大きい。
【０１７１】
図８ｇは図８ｅに対応しているが、着色顔料及び／又は溶解染料を有する層４６が、領域１８ａ，１８ｂ，１８ｃにおいて、異なる着色顔料及び／又は溶解染料を有する点において相違している。したがって、層４６を、領域１８ａにおいて赤にし、領域１８ｂにおいて緑にし、領域１８ｃにおいて黄色とすることができる。領域１８ａ，１８ｂ，１８ｃは、異なる色であり、これらの色は、色空間のカラードットとして、例えば、ＲＧＢカラーモデル又はＣＭＹＫカラーモデル等のカラーモデルで表され得る。さらに、領域１８ａ，１８ｂ，１８ｃは、異なる色、例えば、パントーン（登録商標）カラーシステムの異なる色とし得る。領域１８ａ，１８ｂ，１８ｃは、パターン化されて形成され得る。領域１８ａ，１８ｂ，８ｃは、好ましくは、ストリップ（帯）状に形成される。
【０１７２】
図８ｈは、耐熱層４２、キャリア層４１、透明保護ワニス層４４、着色顔料及び／又は溶解染料を含む層４６、金属層４８及び接着層４５を有するフィルムエレメント５を示している。層４１，４２，４４，４５については、前述の事項を参照されたい。図８ｈにおける層４６は、好ましくは、１．０ｇ／ｍ２〜３ｇ／ｍ２の適用重量を有し、半透明に形成されている。層４６のさらなるデザインについては、前述の事項を参照されたい。金属層４８は、アルミニウムの金属層であり、好ましくは、１０ｎｍ〜１００ｎｍの層厚を有する。また、金属層４８は、クロム、金、銅、銀又はこれらの合金から形成されてもよい。金属層４８は、好ましくは、真空下で蒸着される。図８ｈのフィルムエレメント５は、層４４，４６，４８，４５が転写プライ４０としてドキュメントに転写され得るフィルムエレメントである。
【０１７３】
図８ｉは、図８ｈに対応しているが、金属層４８が領域１６に適用され、領域１７に適用されていない点において相違している。領域１６及び／又は領域１７のデザインについては、前述した事項を参照されたい。
【０１７４】
図８ｊは、耐熱層４２、キャリア層４１、透明保護ワニス層４４、蛍光ワニス層４９及び接着層４５を有するフィルムエレメント５を示している。層４１，４２，４４，４５については、前述した事項を参照されたい。蛍光ワニス層４９は、電磁放射線の照射の場合、好ましくはＵＶ光の照射の場合、人間の目に見える波長範囲、特に、３８０ｎｍ〜７８０ｎｍの波長範囲で光を発する顔料を有する。蛍光ワニス層４９の適用重量は、好ましくは、０．５ｇ／ｍ２〜２ｇ／ｍ２である。さらに、蛍光ワニス層４９を所定の領域において適用してもよい。例えば、複雑なギロシェ（ｇｕｉｌｌｏｃｈｅ）パターン又は他のモチーフ等の細線のセキュリティパターンが形成され得る。図８ｊのフィルムエレメント５は、層４４，４９，４５が転写プライ４０としてドキュメントに転写されるフィルムエレメントである。
【０１７５】
図８ｋは、耐熱層４２、キャリア層４１、透明保護ワニス層４４、複写ワニス層５０及びＨＲＩ層５１を有するフィルムエレメント５を示している。層４１，４２，４４，４５については、前述した事項を参照されたい。複写ワニス層５０は、好ましくは、０．２ｇ／ｍ２〜１．５ｇ／ｍ２の適用重量を有する。図８ｋにおける複写ワニス層５０は、ＰＭＭＡ及びスチレン共重合体の層であり、ＨＲＩ層に面する側においてレリーフ構造が刻印されている。レリーフ構造は、好ましくは、回折レリーフ構造であり、特に、キネグラム（登録商標）又はホログラム、０次回折構造、ブレーズ格子、特に非対称ののこぎり歯状のレリーフ構造、回折構造、特に線形正弦回折格子、又は交差正弦回折格子、又は、線形単一段又は多段矩形格子、又は、交差単一段又は多段矩形格子、光回折及び／又は光屈折及び／又は光集束マイクロ又はナノ構造、バイナリー又は連続的なフレネルレンズ、バイナリー又は連続的なフレネル自由曲面、回折又は屈折マクロ構造、特にレンズ構造又はマイクロプリズム構造、鏡面、マット構造、特に異方性又は等方性マット構造、あるいは上記構造の組み合わせからなる群から選択される。複写ワニス層５０のさらなるデザインについては、複写ワニス層６０ｂについての前述の事項を参照されたい。図におけるＨＲＩ層５１は、例えば、ＺｎＳの蒸着層からなり、２０ｎｍ〜１２０ｎｍの厚さを有する。ＨＲＩ層５１のさらなるデザインについては、反射層６０ｃの内容についての前述の事項を参照されたい。図８ｋにおけるフィルムエレメント５は、層４４，５０，５１，４５が転写プライ４０としてドキュメントに転写されるフィルムエレメントである。
【０１７６】
図８ｌは、耐熱層４２、キャリア層４１、透明保護ワニス層４４、複写ワニス層５０、金属層４８及び接着層４５を有するフィルムエレメント５を示している。層４１，４２，４４，４５，４８，５０については、前述した事項を参照されたい。図８ｌのフィルムエレメント５は、層４４，５０，４８，４５が転写プライ４０としてドキュメントに転写されるフィルムエレメントである。
【０１７７】
図８ｍは、図８ｌに対応しているが、金属層４８が領域１６に部分的に適用され、領域１７に適用されていないという点において相違している。さらに、フィルムエレメント５は、層４５，４８の間に、任意的なワニス層（詳細には図示しない）をさらに有していてもよく、ワニス層は、例えば、全面に亘って適用された金属層を構造化するために、エッチレジスト（耐食膜）として使用される。任意的なワニス層及び／又は複写ワニス層５０及び／又は透明保護ワニス層４４は、好ましくは、染色される。したがって、例えば、複写ワニス層５０を黄色に染色してもよい。領域１６及び／又は領域１７のデザインについては、前述した事項を参照されたい。
【０１７８】
図８ｎは、耐熱層４２、キャリア層４１、透明保護ワニス層４４、複写ワニス層５０、ＨＲＩ層５１、金属層４８及び接着層４５を有するフィルムエレメント５を示している。図８ｎにおいて、金属層４８は、領域１６ａに適用されているが、領域１７ａには適用されていない。層４１，４２，４４，４５，４８，５０，５１については、前述した事項を参照されたい。領域１６ａ及び／又は領域１７ａのデザインについては、領域１６，１７に関する前述した事項を参照されたい。図８ｎのフィルムエレメント５は、層４４，５０，５１，４８，４５が転写プライ４０としてドキュメントに転写されるフィルムエレメントである。
【０１７９】
図８ｏは、耐熱層４２、キャリア層４１、透明保護ワニス層４４、光学的に可変の顔料を有する層５２及び接着層４５を含むフィルムエレメント５を示している。層４１，４２，４４，４５については、前述した事項を参照されたい。ここで、「光学的に可変の顔料」とは、観察角に応じた、特に干渉効果による、色効果を生じさせる顔料を意味する。高度の輝きを有するそのような色変化の効果を得るために、顔料は、互いに同じ向きを有する必要がある。そのような顔料は、例えば、光学的に可変の顔料（ＯＶＰ）である。光学的に可変の顔料に加えて、層５２は、好ましくは、バインダを有する。バインダ及び顔料のそのような組み合わせは、例えば、光学的に可変のインク（ＯＶＩ（登録商標））である。ＯＶＩは、通常、高度の輝きを有する認識可能な色変化の効果を得るため、十分な層厚で印刷される必要がある。層５２の適用重量は、好ましくは１．０ｇ／ｍ２〜１０ｇ／ｍ２である。さらに、層５２は、所定の領域において適用され、特にパターン化され得る。例えば、英数字が形成され得る。層５２は、薄膜層系として形成され得る。薄膜層系は、一つ又は複数の空間層を有し、空間層の層厚は、薄膜層系が、入射光の干渉により、観察角に応じて、特に人間の目に見える波長範囲の範囲を超えて色変化効果を生じさせるように選択される。そのような薄膜層系は、特に一つ又は複数の空間層により特徴づけられる。これらの空間層の光学的に効果的な層厚は、好ましくは、特定の視野角に対して、特に可視光の範囲における波長λのλ／２又はλ／４の条件を満たす。薄膜層系は、ここで、単一の層、一つ又は複数の誘電層及び一つ又は複数の金属層を備えた層系、又は２つ又は複数の誘電層を有する層スタックからなる。図８ｏのフィルムエレメント５は、層４４，５２，４５が転写プライ４０としてドキュメントに転写されるフィルムエレメントである。
【０１８０】
図８ｐは、耐熱層４２、キャリア層４１、複写ワニス層５０、剥離層４７、透明保護ワニス層４４、及び着色顔料及び／又は溶解染料を有する層４６を備えたフィルムエレメント５示している。図８ｐのフィルムエレメント５は、層４４，４６が転写プライ４０としてドキュメントに転写されるフィルムエレメントである。レリーフ構造は、少なくとも所定の領域において、複写ワニス層５０に刻印される。剥離層は、好ましくは、薄いワックス層であり、０．０１ｇ／ｍ２の適用重量を有する。ドキュメントに対する層４４，４６の適用中、複写ワニス層５０のレリーフ構造に対して反転したレリーフ構造が透明保護ワニス層４４に成形される。適用中、透明保護ワニス層４４は、層４６とともに、剥離層４７から離間している。これにより、複写ワニス層５０に成形されたレリーフ構造のネガティブ形状が透明保護ワニス層４４に成形され、層４４，４６は同時にドキュメントに転写される。層４１，４２，４４，４６，４７，５０のさらなるデザインについては、前述の事項を参照されたい。
【０１８１】
図９〜図１２は、ドキュメント１のデザインの変形例を示す概略的な上面図及び断面図である。
【０１８２】
図９は、領域１３に第２の層を有するサーモグラフィー基板２を備えたドキュメント１を示している。領域１３ａにおいて、第２の層は、不透明に形成され、セキュリティ特徴部６１ｂをさらに有している。セキュリティ特徴部６１ｂは、例えば、０次回折構造である。領域１３ｂは、透明に形成されており、図９に示すように星型に形成されたセキュリティエレメント６１ａを含み、体積ホログラムを形成する。図９に示すように、領域１３は、ドキュメント１の全幅に亘って延在している。第１の情報項目２０ａは、サーモグラフィー基板２に色変化１５が生じることにより、サーモグラフィー基板２にさらに導入される。ドキュメント１は、第２の情報項目２１ａを表す第１の層をさらに有する。ドキュメント１は、例えば、チケットである。ドキュメント１のサーモグラフィー基板２への第１の情報項目２０ａの導入、及び第２の情報項目２１ａを表すためのドキュメント１への第１の層の適用については、前述の事項を参照されたい。
【０１８３】
図１０は、サーモグラフィー基板２を備えたドキュメント１を示している。所定の領域において、サーモグラフィー基板２は、層６０ａ，６０ｂ，６０ｃ，６０ｄを含む第２の層６０を有する。層６０ａ，６０ｂ，６０ｃ，６０ｄのデザインについては、前述の事項を参照されたい。色変化１５は、サーモグラフィー基板２における領域１０ｓに生じ、観察者７０には黒色に映る。さらに、転写プライ４０ａは、領域１０ｓにおいてサーモグラフィー基板２に適用されている。領域１０ｓにおいて、転写プライ４０ａは、保護ワニス層として透明に形成されている。転写プライ４０ａは、赤色の着色顔料を有し、かつ不透明である領域１１ｓにおいてサーモグラフィー基板２に適用されている。色変化１５ａは、サーモグラフィー基板２における領域１０ｔに生じ、観察者７０にはマゼンタ色に映る。図１０における感熱性層３１は、温度効果に応じた、２つの異なる色変化１５，１５ａを有している。したがって、図１０における感熱性層３１の色変化１５は、領域１０ｓにおいて約１００℃の温度で生じ、色変化１５ａは、領域１０ｔにおいて約９０℃の温度で既に生じている。さらに、転写プライ４０ａは、緑色に染色されかつ透明に形成された領域１０ｔ，１１ｔにおいてサーモグラフィー基板２に適用される。
【０１８４】
図１１は、サーモグラフィー基板２を備えたドキュメント１を示している。第１の情報項目２０ａは、サーモグラフィー基板２に導入されている。第１の情報項目２０ａは、サーモグラフィー基板２において、色変化が生じることにより導入される。ドキュメント１は、第２の情報項目２１ａを表わすための、細線図の形態をなす第１の層をさらに有する。ドキュメント１は、第２の情報項目２１ｂを表わすための、バーコードの形態をなす転写プライをさらに有する。ドキュメント１は、例えば、旅行チケットである。ドキュメント１のサーモグラフィー基板２への第１の情報項目２０ａの導入、及び第２の情報項目２１ａ，２１ｂを表すための、ドキュメント１への転写プライの適用については、前述の事項を参照されたい。
【０１８５】
図１２は、サーモグラフィー基板２を備えたドキュメント１を示している。領域１０，１１ｕにおいて、ドキュメント１は、層４４，５０，４８，４５を含む転写プライ４０ａを有する。層４４，５０，４８，４５のデザインについては、前述の事項を参照されたい。色変化１５は、サーモグラフィー基板２における領域１０ｕに生じ、観察者７０には黒色に映る。層４８は領域１９にのみ存在する。領域１９は、３５０μｍのグリッド幅を有するグリッド状に配置されており、その結果、観察者７０は、領域１０ｕに生じた色変化１５を認識し得る。色変化１５は、サーモグラフィー基板２における領域１１ｕには生じていない。サーモグラフィー基板２の層３０，３１，３２，３３については、前述した事項を参照されたい。層３５は、電磁放射線の照射の場合、好ましくはＵＶ光の照射の場合、及び／又はＩＲ光の照射の場合、人間の目に見える波長範囲、特に３８０ｎｍ〜７８０ｎｍの波長範囲で光を発する顔料を有する。層３５は、所定の領域において適用され、特に、パターン化されてもよい。
【符号の説明】
【０１８６】
１  ドキュメント
２  サーモグラフィー基材
５  フィルムエレメント
６  サーマルプリントヘッド
６ｈ  加熱エレメント
１０ａ，１０ｂ，１０ｃ，１０ｄ，１０ｅ，１０ｆ，１０ｇ，１０ｈ，１０ｉ，１０ｊ，１０ｋ，１０ｌ，１０ｍ，１０ｎ，１０ｏ，１０ｐ，１０ｒ，１０ｓ，１０ｔ，１０ｕ，１１ａ，１１ｂ，１１ｃ，１１ｑ，１１ｒ  第１の領域
１１ｓ，１１ｔ，１１ｕ  第２の領域
１２  記録範囲
１３，１３ａ，１３ｂ，１４  領域
１５  色変化
１６，１７，１８ａ，１８ｂ，１８ｃ，１９  部分的領域
２０ａ，２０ｂ，２０ｃ，２０ｄ，２０ｅ，２０ｆ  第１の情報項目
２１ａ，２１ｂ  第２の情報項目
２５，２６，２７  座標軸ｘ，ｙ，ｚ
２８  供給方向
３０  ベース層
３１  感熱層
３２  保護層
３３  中間層
３４，３５  第３の層
４０  転写プライ
４０ａ  適用された転写プライ
４０ｅ  取り除かれた転写プライ
４１  キャリア層
４２  耐熱層
４３  スライド層
４４  透明保護ワニス層
４５  接着層
４６  着色顔料及び／又は溶解染料を有する層
４７  剥離層
４８  金属層
４９  蛍光ワニス
５０  複写ワニス層
５１  ＨＲＩ層
５２  光学的に可変の顔料を有する層
６０  第２の層
６０ａ  保護ワニス層
６０ｂ  複写ワニス層
６０ｃ  反射層
６０ｄ  結合層
６１  装飾層
６２ａ，６２ｂ  セキュリティ特徴部
７０  観察者
【図１ａ】
2018516791.tif 000003
【図１ｂ】
2018516791.tif 000004
【図１ｃ】
2018516791.tif 000005
【図２ａ】
2018516791.tif 000006
【図２ｂ】
2018516791.tif 000007
【図３ａ】
2018516791.tif 000008
【図３ｂ】
2018516791.tif 000009
【図３ｃ】
2018516791.tif 000010
【図４】
2018516791.tif 000011
【図５】
2018516791.tif 000012
【図６】
2018516791.tif 000013
【図７ａ】
2018516791.tif 000014
【図７ｂ】
2018516791.tif 000015
【図８ａ】
2018516791.tif 000016
【図８ｂ】
2018516791.tif 000017
【図８ｃ】
2018516791.tif 000018
【図８ｄ】
2018516791.tif 000019
【図８ｅ】
2018516791.tif 000020
【図８ｆ】
2018516791.tif 000021
【図８ｇ】
2018516791.tif 000022
【図８ｈ】
2018516791.tif 000023
【図８ｉ】
2018516791.tif 000024
【図８ｊ】
2018516791.tif 000025
【図８ｋ】
2018516791.tif 000026
【図８ｌ】
2018516791.tif 000027
【図８ｍ】
2018516791.tif 000028
【図８ｎ】
2018516791.tif 000029
【図８ｏ】
2018516791.tif 000030
【図８ｐ】
2018516791.tif 000031
【図９】
2018516791.tif 000032
【図１０】
2018516791.tif 000033
【図１１】
2018516791.tif 000034
【図１２】
2018516791.tif 000035
【国際調査報告】
2018516791.tif 000036
2018516791.tif 000037
2018516791.tif 000038
2018516791.tif 000039
2018516791.tif 000040
2018516791.tif 000041